(57)【特許請求の範囲】
【請求項１】
記録すべき入力映像及び音声信号に記録のための信号処理を施し、この記録のための信号処理を施した入力映像及び音声信号を主記録媒体に記録するようにした装置で使用する記録再生方法であって、
上記記録すべき入力映像及び音声信号を上記主記録媒体の編集点から記録する場合は、
上記記録すべき入力映像及び音声信号に記録のための信号処理を施した後に一旦上記主記録媒体よりもアクセス速度の速い補助記録媒体に記録し、
上記主記録媒体を再生し、この主記録媒体を再生して得られる上記主記録媒体上の位置情報に基いて、上記補助記録媒体から上記補助記録媒体上の編集点から上記記録すべき入力映像及び音声信号を読み出すタイミングを得、
上記主記録媒体の位置が上記主記録媒体上における編集点となったときに、上記タイミングに基いて、上記補助記録媒体から上記記録すべき入力映像及び音声信号を読み出し、上記主記録媒体に記録するものであり、
上記主記録媒体に記録されている映像及び音声信号を通常の再生速度の１／Ｎ倍の再生速度で再生する場合は、
上記主記録媒体から通常の再生速度で再生して得られた映像及び音声信号を一旦上記主記録媒体よりもアクセス速度の速い補助記録媒体に記録し、
上記補助記録媒体から映像及び音声信号を読み出す際に、少なくとも元のフレームの映像及び音声信号をＮ回出力する記録再生方法。
【請求項２】
上記補助記録媒体に上記入力映像及び音声信号を記録する際には、上記入力映像信号から得られる同期信号を基準として制御する請求項１記載の記録再生方法。
【請求項３】
上記主記録媒体に映像及び音声信号を記録する際、並びに上記主記録媒体から映像及び音声信号を再生する際は、内部基準クロック信号を用いる請求項１記載の記録再生方法。
【請求項４】
記録すべき入力映像及び音声信号に記録のための信号処理を施し、この記録のための信号処理を施した入力映像及び音声信号を主記録媒体に記録するようにした第１の装置及び第２の装置間で使用する記録再生方法であって、
上記第１の装置で再生して得られる映像及び音声信号を上記第２の装置の主記録媒体の編集点から記録する場合は、
上記第１の装置で再生して得られる映像及び音声信号を第１の装置の上記主記録媒体よりもアクセス速度の速い補助記録媒体に一旦記録した後に記録した映像及び音声信号を読み出し、この読み出した映像及び音声信号をモニタ用の再生映像及び音声信号として出力し、
上記モニタ用の再生映像及び音声信号を出力している間に、上記第２の装置の主記録媒体に記録すべき編集点の指定があった場合に、この指定された映像及び音声信号の上記補助記録媒体上のアドレスデータを保持し、
上記第２の装置の主記録媒体を再生し、この主記録媒体を再生して得られる上記主記録媒体上の位置情報に基いて、上記第１の装置の補助記録媒体から上記補助記録媒体上の編集点から上記指定された映像及び音声信号を読み出すタイミングを得、
上記第２の装置の主記録媒体の位置が上記主記録媒体上における編集点となったときに、上記タイミングに基いて、上記第１の装置において指定された映像及び音声信号以降の映像及び音声信号を上記第１の装置の補助記録媒体から読み出し、この読み出した映像及び音声信号に再生のための信号処理を施した後に上記第２の装置に対して記録用として出力し、
上記第２の装置の主記録媒体に編集点から記録するものであり、
上記第１の装置の主記録媒体に記録されている映像及び音声信号を通常の再生速度の１／Ｎ倍の再生速度で再生する場合は、
上記第１の装置の主記録媒体から通常の再生速度で再生して得られた映像及び音声信号を一旦上記第１の装置の主記録媒体よりもアクセス速度の速い補助記録媒体に記録し、
上記補助記録媒体から映像及び音声信号を読み出す際に、少なくとも元のフレームの映像及び音声信号をＮ回出力する記録再生方法。
【請求項５】
上記第１の装置の補助記録媒体に上記映像及び音声信号を記録する際には、上記第１の装置の主記録媒体を再生して得られる同期信号を基準として制御する請求項４記載の記録再生方法。
【請求項６】
上記第２の装置の主記録媒体に映像及び音声信号を記録する際、並びに上記第１の主記録媒体から映像及び音声信号を再生する際は、各装置の内部基準クロック信号を用いる請求項４記載の記録再生方法。
【請求項７】
上記補助記録媒体に上記映像及び音声信号を記録する際には、上記主記録媒体を再生して得られる同期信号を基準として制御し、上記主記録媒体から映像及び音声信号を再生する際は、内部基準クロック信号を用いる請求項１又は４記載の記録再生方法。
【請求項８】
上記補助記録媒体から映像及び音声信号を読み出し、少なくとも元のフレームの映像信号をＮ回出力する場合に、前半のフレームは第１のフィールドの映像信号に基いて補間し、中心のフレームは元のフレームの映像信号を用い、後半のフレームは第２のフィールドの映像信号に基いて補間する請求項１又は４記載の記録再生方法。
【請求項９】
上記補助記録媒体に上記主記録媒体から再生して得られた映像及び音声信号を記録し、上記補助記録媒体から映像及び音声信号を読み出し、１／Ｎ倍速再生を行う場合に、
単位期間のＭ倍の長さを有する期間において上記補助記録媒体に所定量のＭ個の映像及び音声信号を記録し、
上記Ｍ個の映像及び音声信号の記録の後に上記補助記録媒体から上記最初の期間に記録されたＭ個の映像及び音声信号を上記単位期間のＭ×Ｎ倍の期間内で順次読み出す請求項１又は４記載の記録再生方法。
【請求項１０】
上記補助記録媒体に上記主記録媒体から再生して得られた映像及び音声信号を記録し、上記補助記録媒体から映像及び音声信号を読み出し、１／Ｎ倍速再生を行うため、単位期間のＭ倍の長さを有する期間に上記補助記録媒体に所定量のＭ個の映像及び音声信号を記録し、
上記Ｍ個の映像及び音声信号の記録の後に上記補助記録媒体から上記最初の期間に記録されたＭ個の映像及び音声信号を上記単位期間のＭ×Ｎ倍の期間内で順次読み出し、
少なくとも、上記主記録媒体からの所定量のＭ個の映像及び音声信号の再生が終了した時点において、上記主記録媒体の再生を、再生停止、または再生一時停止状態とし、次に所定量の映像及び音声信号を順次書き込むときには、上記主記録媒体を再生して実際に映像及び音声信号が得られるまでの時間分だけ手前の時点に上記主記録媒体を再生する請求項１又は４記載の記録再生方法。
【請求項１１】
上記主記録媒体又は上記第１の装置の主記録媒体に記録されている映像及び音声信号を通常の再生速度のＮ倍の再生速度で再生する場合は、
上記主記録媒体から通常の再生速度で再生して得られた映像及び音声信号を一旦上記主記録媒体よりもアクセス速度の速い補助記録媒体に記録し、
上記補助記録媒体から映像及び音声信号を読み出す際に、少なくともＮフレーム分毎に映像及び音声信号を出力する１又は４記録再生方法。
【請求項１２】
上記補助記録媒体に記録されている上記映像及び音声信号の再生制御は内部基準信号を用い、補助記録媒体の制御は上記主記録媒体を再生して得られる同期信号を基準信号として用いる請求項１１記載の記録再生方法。
【請求項１３】
上記補助記録媒体から映像及び音声信号を読み出す際に、少なくともＮフレーム内の映像及び音声信号をフィールド単位で均等に２フレーム分以上Ｎフレーム分毎に出力する請求項１１記載の記録再生方法。
【請求項１４】
記録すべき映像及び音声信号に対して記録用の処理を施す記録処理手段と、
上記記録処理手段からの映像及び音声信号を主記録媒体に記録すると共に、上記主記録媒体から映像及び音声信号を再生する記録再生手段と、
上記記録処理手段からの映像及び音声信号、並びに上記記録再生手段により再生された映像及び音声信号を一時的に記録する上記主記録媒体よりもアクセス速度の速い補助記録媒体と、
上記記録再生手段により再生された映像及び音声信号、並びに上記記録処理手段からの映像及び音声信号に対して再生用の処理を施す再生系と、
記録時のモード、再生時のモードに基いて、上記記録再生手段を連続的、間欠的または停止させた状態で上記補助記録媒体に対する制御を行い、上記主記録媒体からの再生時においては、上記補助記録媒体からの読み出し出力を見かけ上上記主記録媒体から再生されて直接出力されたものとすると共に、上記主記録媒体に対する映像及び音声信号の記録時においては、上記補助記録媒体からの読み出し出力を見かけ上入力される映像及び音声信号を直接上記主記録媒体に記録するものであり、
上記主記録媒体に記録されている映像及び音声信号を通常の再生速度の１／Ｎ倍の再生速度で再生する場合は、
上記主記録媒体から通常の再生速度で再生して得られた映像及び音声信号を上記補助記録媒体制御手段により、一旦補助記録媒体に記録し、
上記補助記録媒体から映像及び音声信号を上記補助記録媒体制御手段により読み出す際に、少なくとも元のフレームの映像及び音声信号をＮ回出力する記録再生装置。
【請求項１５】
記録すべき映像及び音声信号に対して記録用の処理を施す記録処理手段と、
上記記録処理手段からの映像及び音声信号を主記録媒体に記録すると共に、上記主記録媒体から映像及び音声信号を再生する記録再生手段と、
上記記録処理手段からの映像及び音声信号、並びに上記記録再生手段により再生された映像及び音声信号を一時的に記録する上記主記録媒体よりもアクセス速度の速い補助記録媒体と、
上記記録再生手段により再生された映像及び音声信号、並びに上記記録処理手段からの映像及び音声信号に対して再生用の処理を施す再生系と、
上記補助記録媒体に対し映像及び音声信号の書き込みまたは読み出し制御を行う補助記録媒体制御手段と、
記録時のモード、再生時のモードに基いて、上記記録再生手段を連続的、間欠的または停止させるよう制御すると共に、上記補助記録媒体制御手段に対するタイミング制御を行う制御手段とを有し、
上記制御手段の制御により、上記主記録媒体からの再生時においては、上記補助記録媒体からの読み出し出力を見かけ上上記主記録媒体から再生されて直接出力されたものとすると共に、上記主記録媒体に対する映像及び音声信号の記録時においては、上記補助記録媒体からの読み出し出力を見かけ上入力される映像及び音声信号を直接上記主記録媒体に記録するものであり、
上記主記録媒体に記録されている映像及び音声信号を通常の再生速度の１／Ｎ倍の再生速度で再生する場合は、
上記主記録媒体から通常の再生速度で再生して得られた映像及び音声信号を上記補助記録媒体制御手段により、一旦補助記録媒体に記録し、
上記補助記録媒体から映像及び音声信号を上記補助記録媒体制御手段により読み出す際に、少なくとも元のフレームの映像及び音声信号をＮ回出力する記録再生装置。
【請求項１６】
記録すべき映像及び音声信号に対して記録用の処理を施す記録処理手段と、
上記記録処理手段からの映像及び音声信号を主記録媒体に記録すると共に、上記主記録媒体から映像及び音声信号を再生する記録再生手段と、
上記記録処理手段からの映像及び音声信号、並びに上記記録再生手段により再生された映像及び音声信号を一時的に記録する上記主記録媒体よりもアクセス速度の速い補助記録媒体と、
上記記録再生手段により再生された映像及び音声信号、並びに上記記録処理手段からの映像及び音声信号に対して再生用の処理を施す再生系と、
上記補助記録媒体に対し映像及び音声信号の書き込みまたは読み出し制御を行う補助記録媒体制御手段と、
記録時のモード、再生時のモードに基いて、上記記録再生手段を連続的、間欠的または停止させるよう制御すると共に、上記補助記録媒体制御手段に対するタイミング制御を行う制御手段と、
上記記録再生手段により上記主記録媒体を再生し、上記主記録媒体を再生して得られる上記主記録媒体上の位置情報に基いて、上記補助記録媒体から上記補助記録媒体上の編集点から上記記録すべき入力映像及び音声信号を読み出すタイミング信号を得るタイミング発生手段とを設け、
記録すべき入力映像及び音声信号を上記主記録媒体の編集点から記録する場合は、
上記記録すべき入力映像及び音声信号に上記記録処理手段により記録のための信号処理を施した後に上記制御手段の制御の元に上記補助記録媒体制御手段が上記記録処理手段により記録のための信号処理を施した上記映像及び音声信号を一旦上記補助記録媒体に記録し、
上記主記録媒体の位置が上記主記録媒体上における編集点となったときに、上記タイミング発生手段からの上記タイミング信号に基いて、上記補助記録媒体から上記記録すべき入力映像及び音声信号を上記補助記録媒体制御手段が読み出し、上記主記録媒体に記録するものであり、
上記主記録媒体に記録されている映像及び音声信号を通常の再生速度の１／Ｎ倍の再生速度で再生する場合は、
上記主記録媒体から通常の再生速度で再生して得られた映像及び音声信号を上記補助記録媒体制御手段により、一旦補助記録媒体に記録し、
上記補助記録媒体から映像及び音声信号を上記補助記録媒体制御手段により読み出す際に、少なくとも元のフレームの映像及び音声信号をＮ回出力する記録再生装置。
【請求項１７】
上記主記録媒体上の位置情報は、
上記主記録媒体上に記録時、或いはフォーマット時に形成される基準セクタである請求項１６記載の記録再生装置。
【請求項１８】
上記タイミング発生手段は、
上記記録再生手段で再生された再生信号から上記位置情報を抽出する位置情報抽出手段と、
上記位置情報抽出手段により上記位置情報が抽出された時点から時間を計測する時間計測手段と、
上記位置情報が記録されているセクタと、次の映像及び音声信号記録用のセクタとの間を再生するために費やされる再生時間情報と、上記補助記録媒体から映像及び音声信号が読み出されてから実際に上記主記録媒体に記録され始めるまでに費やされる信号伝達時間情報を保持する保持手段と、
上記再生時間情報と上記信号伝達時間情報とに基いて上記制御手段が上記補助記録媒体制御手段に対する制御タイミング時間を得る演算手段と、
上記演算手段からの制御タイミング時間情報と、上記時間計測手段からの計測時間情報とを比較し、これらが一致した場合に上記制御手段に対して情報補助記録媒体を制御するための基準となるタイミング信号を供給するタイミング発生手段とで構成した請求項１６記載の記録再生装置。
【請求項１９】
上記補助記録媒体に上記入力映像及び音声信号を記録する際には、上記入力映像信号から得られる同期信号を基準として制御し、
上記主記録媒体に映像及び音声信号を記録する際、並びに上記主記録媒体から映像及び音声信号を再生する際は、内部基準クロック信号を用いる請求項１６記載の記録再生装置。
【請求項２０】
上記記録再生装置を少なくとも２台用意し、一方の記録再生装置（以下第１の装置とする）を再生側、他方の記録再生装置（以下第２の装置とする）を記録側とし、上記第１の装置で再生して得られる映像及び音声信号を上記第２の装置の主記録媒体の編集点から記録する場合は、
上記第１の装置で再生して得られる映像及び音声信号を第１の装置の上記補助記録媒体制御手段により上記補助記録媒体に一旦記録した後に、記録した映像及び音声信号を読み出し、この読み出した映像及び音声信号をモニタ用の再生映像及び音声信号として上記再生処理手段を介して出力し、
上記モニタ用の再生映像及び音声信号を出力している間に、上記第２の装置の主記録媒体に記録すべき編集点の指定があった場合に、この指定された映像及び音声信号の上記補助記録媒体上のアドレスデータを上記制御手段により保持し、
上記第２の装置の主記録媒体を上記記録再生手段により再生し、この主記録媒体を再生して得られる上記主記録媒体上の位置情報に基いて、上記第１の装置の補助記録媒体上の編集点から上記指定された映像及び音声信号を読み出すタイミングを上記第１の装置のタイミング発生手段で得、
上記第２の装置の主記録媒体の位置が上記主記録媒体上における編集点となったときに、上記第１の装置の制御手段が上記第１の装置のタイミング発生手段からのタイミング信号に基いて、上記第１の装置において指定された映像及び音声信号以降の映像及び音声信号を上記第１の装置の補助記録媒体から読み出し、この読み出した映像及び音声信号を第１の装置の再生処理手段により再生のための信号処理を施した後に上記第２の装置に対して記録用として出力し、
上記第２の装置の主記録媒体に第２の装置の記録再生手段により、編集点から記録する請求項１６記載の記録再生装置。
【請求項２１】
上記第１の装置の補助記録媒体に上記映像及び音声信号を記録する際には、上記第１の装置の主記録媒体を再生して得られる同期信号を基準として制御する請求項２０記載の記録再生装置。
【請求項２２】
上記第２の装置の主記録媒体に映像及び音声信号を記録する際、並びに上記第１の主記録媒体から映像及び音声信号を再生する際は、各装置の内部基準クロック信号を用いる請求項２０記載の記録再生装置。
【請求項２３】
上記補助記録媒体から映像及び音声信号を読み出し、少なくとも元のフレームの映像信号をＮ回出力する場合に、
前半のフレームは第１のフィールドの映像信号に基いて補間し、中心のフレームは元のフレームの映像信号を用い、後半のフレームは第２のフィールドの映像信号に基いて補間する請求項１４，１５又は１６記載の記録再生装置。
【請求項２４】
上記補助記録媒体に上記主記録媒体から再生して得られた映像及び音声信号を記録し、上記補助記録媒体から映像及び音声信号を読み出し、１／Ｎ倍速再生を行う場合に、
上記補助記録媒体制御手段は、単位期間のＭ倍の長さを有する最初の期間に上記補助記録媒体に所定量のＭ個の映像及び音声信号を記録し、
上記Ｍ個の映像及び音声信号の記録の後に上記補助記録媒体から上記最初の期間に記録されたＭ個の映像及び音声信号を読み出す場合は、上記Ｍ個の映像及び音声信号を上記単位期間のＭ×Ｎ倍の期間内で順次読み出し、
上記Ｍ個の映像及び音声信号の記録の後に上記補助記録媒体に対して書き込みを行う場合は、次の所定量のＫ個の映像及び音声信号を単位期間のＫ倍の長さを有する期間内で順次書き込む請求項１４，１５又は１６記載の記録再生装置。
【請求項２５】
上記補助記録媒体に上記主記録媒体から再生して得られた映像及び音声信号を記録し、上記補助記録媒体から映像及び音声信号を読み出し、１／Ｎ倍速再生を行うため、単位期間のＭ倍の長さを有する期間に上記補助記録媒体に所定量のＭ個の映像及び音声信号を記録し、
上記Ｍ個の映像及び音声信号の記録の後に上記補助記録媒体から上記最初の期間に記録されたＭ個の映像及び音声信号を上記単位期間のＭ×Ｎ倍の期間内で順次読み出し、
少なくとも上記記録再生手段により上記Ｍ個の映像及び音声信号の再生が終了した時点において、上記制御手段の制御により、上記記録再生手段が上記主記録媒体の再生を、再生停止、または再生一時停止状態とし、次に映像及び音声信号を順次書き込むときには、上記制御手段の制御により、上記主記録媒体を上記記録再生手段で再生して実際に映像及び音声信号が得られるまでの時間分だけ手前の時点に上記記録再生手段が上記主記録媒体を再生する請求項１４，１５又は１６記載の記録再生装置。
【請求項２６】
上記主記録媒体に記録されている映像及び音声信号を通常の再生速度のＮ倍の再生速度で再生する場合は、
上記主記録媒体から通常の再生速度で再生して得られた映像及び音声信号を上記補助記録媒体制御手段により一旦補助記録媒体に記録し、
上記補助記録媒体から映像及び音声信号を読み出す際に、少なくともＮフレーム分毎に映像及び音声信号を出力する請求項１６記載の記録再生装置。
【請求項２７】
上記補助記録媒体から映像及び音声信号を読み出す際に、少なくともＮフレーム内の映像及び音声信号をフィールド単位で均等に２フレーム分以上Ｎフレーム分毎に出力する請求項２６記載の記録再生装置。
【発明の詳細な説明】
【０００１】
【産業上の利用分野】
本発明は、例えばマルチセグメント記録方式のディジタルＶＴＲ等に適用して好適な記録再生方法及びその装置に関する。
【０００２】
【従来の技術】
従来、ＶＴＲを用いた編集システムとしては、例えば図１２に示すようなものが提案されている。
【０００３】
〔接続及び構成〕
この図１２に示す編集システムは、ダビングすべき素材の記録されているビデオ・テープ・カセット１００を再生するための再生側ＶＴＲ１０２と、その再生信号を記録するための記録側ＶＴＲ１１８と、これら再生側ＶＴＲ１０２及び記録側ＶＴＲ１１８をコントロールする編集コントローラで構成される。
【０００４】
ここで、再生側ＶＴＲ１０２及び記録側ＶＴＲ１１８は、いずれもコンポジット或いはコンポーネントアナログ記録方式のＶＴＲである。
【０００５】
再生側ＶＴＲ１０２は図示しない回転ドラムに登載された磁気ヘッド１０３及び１０４を有し、磁気ヘッド１０３はスイッチ１０５の一方の固定接点１０５ａに、磁気ヘッド１０４はスイッチ１０５の他方の固定接点１０５ｂに夫々接続され、このスイッチ１０５の可動接点１０５ｃがＶＴＲ本体回路１０６に接続されている。
【０００６】
記録側ＶＴＲ１１８は図示しない回転ドラムに登載された磁気ヘッド１１９及び１１０を有し、磁気ヘッド１１９はスイッチ１１１の一方の固定接点１１１ａに、磁気ヘッド１１０はスイッチ１１１の他方の固定接点１１１ｂに夫々接続され、このスイッチ１１１の可動接点１１１ｃがＶＴＲ本体回路１１２に接続されている。
【０００７】
編集コントローラ１２０は、再生側ＶＴＲ１０２及び記録側ＶＴＲ１１８に夫々接続され、再生側ＶＴＲ１０２の同期信号、或いは図示しない固定ヘッドによって記録されているＣＴＬ信号に基いて記録側ＶＴＲ１１８に調相をかけて、再生側ＶＴＲ１０２と記録側ＶＴＲ１１８を同期させる。
【０００８】
〔動作〕
いわゆるダビング時においては、再生側ＶＴＲ１０２と記録側ＶＴＲ１１８が編集コントローラ１２０によって同期させられた状態で、再生側ＶＴＲ１０２から供給される再生映像信号は記録側ＶＴＲ１１８に供給され、この記録側ＶＴＲ１１８の磁気ヘッド１１９及び１１０により、ビデオ・テープ・カセット１１３の磁気テープ上に傾斜トラックを形成するように記録される。また、これと共に、図示しない固定ヘッドによって、磁気テープの長手方向のトラック（コントロールトラック）にＣＴＬ（コントロール）信号が記録される。ＣＴＬ信号は、周知のように、１本の記録トラックに対応して記録される。
【０００９】
また、ビデオ・テープ・カセット１００を再生して得られた再生映像信号の一部をビデオ・テープ・カセットの磁気テープの所定トラックに重ねて記録する、いわゆるインサート時においては、次のようになる。
【００１０】
編集コントローラ１２０において、再生側ＶＴＲ１０２にセットされているビデオ・テープ・カセット１００を再生し、その再生映像信号のイン点（ここではインサート開始点）と、アウト点（ここではインサート終了点）とをキー入力で決定する。つまり、編集コントローラ１２０は、再生側ＶＴＲ１０２からのＣＴＬ信号をカウントし、キー入力があったときの値（カウント数そのものの他、換算された時間情報の場合もあり得る）を保持する。
【００１１】
一方、記録側ＶＴＲ１１８にセットされているビデオ・テープ・カセット１１３を再生し、その再生映像信号を見ながら、インサート開始点をキー入力で決定する。つまり、編集コントローラ１２０は、再生側ＶＴＲ１０２からのＣＴＬ信号をカウントし、キー入力があったときの値（カウント数そのものの他、換算された時間情報の場合もあり得る）を保持する。
【００１２】
以上の前処理が終了した後に、編集コントローラ１２０の図示しないキーを入力することにより、編集コントローラ１２０は、再生側ＶＴＲ１０２及び記録側ＶＴＲ１１８に夫々制御信号を供給し、再生側ＶＴＲ１０２にセットされているビデオ・テープ・カセット１００の磁気テープの位置を、イン点の前、即ち、プリロール分を含めた位置にし、同様に、記録側ＶＴＲ１１８にセットされているビデオ・テープ・カセット１１３の磁気テープの位置を、インサート点の前、即ち、プリロール分を含めた位置にする。
【００１３】
編集コントローラ１２０は、保持している値と、再生側ＶＴＲ１０２及び記録側ＶＴＲ１１８から夫々供給されるＣＴＬ信号から、再生側ＶＴＲ１０２及び記録側ＶＴＲ１１８に夫々セットされているビデオ・テープ・カセット１００及び１１３の各磁気テープの位置を制御することができる。
【００１４】
続いて、編集コントローラ１２０は再生側ＶＴＲ１０２及び記録側ＶＴＲ１１８に対して再生開始を示す制御信号を夫々供給する。編集コントローラ１２０は、再生側ＶＴＲ１０２及び記録側ＶＴＲ１１８から供給されるＣＴＬ信号をカウントし、再生側ＶＴＲ１０２から供給されるＣＴＬ信号をカウントした値がイン点のタイムコードとなったときに、記録側ＶＴＲ１１８に制御信号を供給し、記録側ＶＴＲ１１８を記録状態にする。これによって、記録側ＶＴＲ１１８にセットされているビデオ・テープ・カセット１１３の磁気テープ上のインサート位置から順次再生側ＶＴＲ１０２から供給される再生映像信号が記録される。このとき、編集コントローラ１２０は、再生側ＶＴＲ１１８から供給されるＣＴＬ信号の位相に記録側ＶＴＲ１１８から供給されるＣＴＬ信号の位相が一致するように、記録側ＶＴＲ１１８にサーボをかけ、再生側ＶＴＲ１０２にセットされているビデオ・テープ・カセット１００の磁気テープの位置と、記録側ＶＴＲ１１８にセットされているビデオ・テープ・カセット１１３の磁気テープの位置とを一致させる調相を行うようにしていた。
【００１５】
尚、本出願人は先に、所定単位の画像データの第１及び第２のポイントを表示手段に表示し、表示手段上に表示された所定単位の第１及び第２のポイントの画像データを指定手段で指定し、指定手段に指定された第１または第２のポイントの画像データのタイムコードデータ、関連する機器の状態、識別番号を制御手段により表示することで、編集効率を向上させると共に、使い勝手を向上させることができるようにした編集装置、例えば画面上に表示したエディット単位の画像データをポインティングデバイスやキーボードを用いて削除、コピー、移動、位置交換することにより、エディットファイルＥＤＬ１〜ＥＤＬｎの内容を変更できるようにしたので、複数のＶＴＲを再生して再チェックしたり、キーボード等で記憶アドレス等を確認し、これを入力したりする等の煩わしい作業を一切行うことなく編集作業ができ、これによって、編集作業の効率化を図ることができようにした編集装置を提案している（特願平５−８７４１３号参照）。
【００１６】
【発明が解決しようとする課題】
ところで、上述したような編集システムにおいては、次のような問題点が生じる。
【００１７】
〔問題点１〕
上記編集システムにおいて、Ｎトラックを１セグメントとし、１フィールドをＭセグメントで構成するように記録する、いわゆるマルチセグメント記録を行うようにしたディジタルＶＴＲを用いる場合である。例えば２トラックで１フレームを構成するように記録するアナログＶＴＲと比較して、ディジタルＶＴＲでは、同じ時間で再生しなければならない記録トラックの数が多い、即ち、情報量が多いので、基準同期信号に対するテープアクセスのレスポンスをアナログＶＴＲのそれと同等にすることは困難である。
【００１８】
〔問題点２〕
近年益々一般ユーザーのＡＶ（オーディオ・ビジュアル）機器に対する関心が高まり、これに伴って、その知識、使用するための技術レベルが向上してきており、これによって、一般ユーザーの要望する機器がより業務用に近づいてきている。また、業務用の機器においても、より高度、且つ、高精度のものが要望されている。つまり、一般、業務用を問わず、機器の精度をより向上させることがユーザーサイドから要望されており、したがって、メーカーサイドもこの要望に答えるようにしなければならない。上述したような編集システムにおいては、例えばインサート編集等の場合においては、ユーザーの意図した位置でインサートが行われることが条件であり、しかも、できるだけインサートの精度が高いことが要求されている。
【００１９】
ここで、精度の高さとは、例えばインサートして形成された記録トラックが、その前後のトラックに重ならず、且つ、記録開始位置が元の記録トラックの記録開始位置と同じとなることを意味するものとする。
【００２０】
精度を高くするには、磁気テープを走行させるための回路系よりも、むしろ機構系の精度が重要となってくる。つまり、電気的な処理は精度を向上させることはできるが、電気的な処理に追従させなければならない機構系は、機構系を構成している各部品の個々の精度（寸法、形状等）と、これらの部品の組立精度が最も重要である。
【００２１】
しかしながら、ユーザーの要望に答えるべく、機構系の精度を向上させることによってＶＴＲの動作精度を向上させ、もって編集時の編集精度を向上させようとすると、上述したように、機構系の構成部品の精度を高め、これらの組立精度を高めなければならないので、例えば部品を製造する機器の精度を高めたり、或いは専門の職人に１つ１つ手作りで製造させたりする等、製造のための設備の大幅な変更や、大幅な投資等を招き、結果として、機構系の製造コストが大幅に上昇し、ひいては、機器のコストが限りなく上昇し、ユーザーに大きな経済的負担を与えることになる。更に、大きな経済的負担を与えることによって、多数のユーザーがかような機器を使用できず、結果として、その機器を使用して行う各種処理の精度を向上させることができず、例えば上記編集システムの場合においては、従来の機器を使用せざるを得ないため、このようなユーザーが映像や音声を視聴者等のユーザーに提供している場合は、ユーザーに提供するための映像や音声の質をいつになっても向上させることができない。
【００２２】
〔問題点３〕
また、上記編集システムにおいて使用するＶＴＲで、画面上にノイズを出すことなくスローモーション再生を行う場合には、ヘッドを記録トラックに対して左右に振るためのバイモルフと、このバイモルフに高電圧を発生させるための制御回路からなるいわゆるＤＴ（ダイナミック・トラッキング）用の系が必要となり、これを用いる場合は、装置のコストが上昇し、結果的に上記問題点２と同様となる。
【００２３】
更に、このダイナミック・トラッキングで、ヘッドを記録トラックに追従させることのできる再生速度は、通常の再生速度の２倍〜３倍の２倍速再生〜３倍速再生が技術的に限界であり、これ以上の再生速度では記録トラックにヘッドを追従させるのが困難であり、従って、たとえ高価なダイナミック・トラッキング方式を採用したところで、３倍速再生を越える再生速度においては、画面上にノイズが出る等、良好な再生を行うことができない。
【００２４】
〔問題点４〕
したがって、３倍速再生を越える再生、例えば１０倍速再生の画像を得るためには、一旦２倍速再生を行ってその２倍速再生で得られた映像を磁気テープに記録し、この磁気テープを再び２倍速で再生し、その映像を磁気テープに記録し、この磁気テープを更に２．５倍速で再生する等、非常に手間がかかる。
【００２５】
〔問題点５〕
また、上記編集システムにおいて、ＣＴＬ信号をコントロールトラックに記録するためのＣＴＬヘッド及びＣＴＬ信号を生成するための回路を登載しないＶＴＲを使用するようにした場合、磁気テープの走行を行うための基準となる信号がないので、磁気テープのアクセス制御を高速、且つ、高精度に行うことが難しく、特に編集においては、複数のＶＴＲに対して調相をかけるための基準信号がないことから、編集時の操作性が悪くなる。
【００２６】
また、上記ＣＴＬ信号をコントロールトラックに記録するためのＣＴＬヘッド及びＣＴＬ信号を生成するための回路を登載しないＶＴＲとして、現在最も周知なものに、テープ幅が８ｍｍのＶＴＲ（いわゆる８ｍｍＶＴＲ）等が周知であるが、例えばこの８ｍｍＶＴＲでは、ビデオ・テープ・カセットの大きさが周知のベータ方式やＶＨＳ方式のビデオ・テープ・カセットの大きさと比較して、非常に小さく、従って、このビデオ・テープ・カセットを保持するためのカセット・コンパートメントの大きさも非常に小さい。
【００２７】
現在周知な製品としては、据置型のものの他、液晶ディスプレイと一体型となっている携帯型、車載型（車に登載するタイプ）、カメラ一体型等のように非常に小型化され、且つ、多機能化された製品がある。このような製品の中で、携帯型、車載型、カメラ一体型等のように機器の大きさがユーザーの行動範囲や限られたスペースの活用に直接関わる製品では、より小型に、より軽量にするといった目的がユーザーの要望に答えるためのメーカー側の目的とするところであろう。
【００２８】
つまり、上記８ｍｍＶＴＲのように、その構成部品や記録媒体（磁気テープの幅やカセットの大きさ）の大きさが小さいＶＴＲでは、高画質化を実現しつつ上記目的を達成することが最も可能なものであり、且つ、１つの理由として、その目的のために開発されたといっても過言ではない。
【００２９】
したがって、上記ＣＴＬ信号をコントロールトラックに記録するためのヘッドやこのヘッドにＣＴＬ信号を供給するための回路等を８ｍｍＶＴＲに代表されるようなＶＴＲに登載することは、ユーザーの立場にたった場合、コスト面から考えても、上記目的から考えても、得策とはいえない。
【００３０】
本発明はこのような点を考慮してなされたもので、テープ走行系に係る精度とアクセス速度を高め、ダイナミックトラッキングのための部品等を用いなくとも３倍速を越える再生速度においても、画面上においてノイズのない映像を得ることができ、装置の小型化、軽量化、低コスト化を図ることのできる記録再生方法及びその装置を提案しようとするものである。
【００３１】
【課題を解決するための手段】
本発明記録再生方法は、記録すべき入力映像及び音声信号に記録のための信号処理を施し、この記録のための信号処理を施した入力映像及び音声信号を主記録媒体に記録するようにした装置で使用する記録再生方法であって、上記記録すべき入力映像及び音声信号を上記主記録媒体の編集点から記録する場合は、上記記録すべき入力映像及び音声信号に記録のための信号処理を施した後に一旦上記主記録媒体よりもアクセス速度の速い補助記録媒体に記録し、上記主記録媒体を再生し、この主記録媒体を再生して得られる上記主記録媒体上の位置情報に基いて、上記補助記録媒体から上記補助記録媒体上の編集点から上記記録すべき入力映像及び音声信号を読み出すタイミングを得、上記主記録媒体の位置が上記主記録媒体上における編集点となったときに、上記タイミングに基いて、上記補助記録媒体から上記記録すべき入力映像及び音声信号を読み出し、上記主記録媒体に記録するものであり、上記主記録媒体に記録されている映像及び音声信号を通常の再生速度の１／Ｎ倍の再生速度で再生する場合は、上記主記録媒体から通常の再生速度で再生して得られた映像及び音声信号を一旦上記主記録媒体よりもアクセス速度の速い補助記録媒体に記録し、上記補助記録媒体から映像及び音声信号を読み出す際に、少なくとも元のフレームの映像及び音声信号をＮ回出力するものである。
【００３２】
また本発明記録再生方法は、記録すべき入力映像及び音声信号に記録のための信号処理を施し、この記録のための信号処理を施した入力映像及び音声信号を主記録媒体に記録するようにした第１の装置及び第２の装置間で使用する記録再生方法であって、上記第１の装置で再生して得られる映像及び音声信号を上記第２の装置の主記録媒体の編集点から記録する場合は、上記第１の装置で再生して得られる映像及び音声信号を第１の装置の上記主記録媒体よりもアクセス速度の速い補助記録媒体に一旦記録した後に記録した映像及び音声信号を読み出し、この読み出した映像及び音声信号をモニタ用の再生映像及び音声信号として出力し、上記モニタ用の再生映像及び音声信号を出力している間に、上記第２の装置の主記録媒体に記録すべき編集点の指定があった場合に、この指定された映像及び音声信号の上記補助記録媒体上のアドレスデータを保持し、上記第２の装置の主記録媒体を再生し、この主記録媒体を再生して得られる上記主記録媒体上の位置情報に基いて、上記第１の装置の補助記録媒体から上記補助記録媒体上の編集点から上記指定された映像及び音声信号を読み出すタイミングを得、上記第２の装置の主記録媒体の位置が上記主記録媒体上における編集点となったときに、上記タイミングに基いて、上記第１の装置において指定された映像及び音声信号以降の映像及び音声信号を上記第１の装置の補助記録媒体から読み出し、この読み出した映像及び音声信号に再生のための信号処理を施した後に上記第２の装置に対して記録用として出力し、上記第２の装置の主記録媒体に編集点から記録するものであり、上記第１の装置の主記録媒体に記録されている映像及び音声信号を通常の再生速度の１／Ｎ倍の再生速度で再生する場合は、上記第１の装置の主記録媒体から通常の再生速度で再生して得られた映像及び音声信号を一旦上記第１の装置の主記録媒体よりもアクセス速度の速い補助記録媒体に記録し、上記補助記録媒体から映像及び音声信号を読み出す際に、少なくとも元のフレームの映像及び音声信号をＮ回出力するものである。
【００３３】
また本発明記録再生方法は、主記録媒体に記録されている入力映像及び音声信号を再生し、再生した映像及び音声信号に再生のための信号処理を施し、この再生のための信号処理を施した映像及び音声信号を再生信号として出力するようにした装置で使用する記録再生方法であって、上記主記録媒体に記録されている映像及び音声信号を通常の再生速度のＮ倍の再生速度で再生する場合は、上記主記録媒体から通常の再生速度で再生して得られた映像及び音声信号を一旦上記主記録媒体よりもアクセス速度の速い補助記録媒体に記録し、上記補助記録媒体から映像及び音声信号を読み出す際に、少なくともＮフレーム分毎に映像及び音声信号を出力するものである。
【００３４】
また本発明記録再生装置は、記録すべき映像及び音声信号に対して記録用の処理を施す記録処理手段と、上記記録処理手段からの映像及び音声信号を主記録媒体に記録すると共に、上記主記録媒体から映像及び音声信号を再生する記録再生手段と、上記記録処理手段からの映像及び音声信号、並びに上記記録再生手段により再生された映像及び音声信号を一時的に記録する上記主記録媒体よりもアクセス速度の速い補助記録媒体と、上記記録再生手段により再生された映像及び音声信号、並びに上記記録処理手段からの映像及び音声信号に対して再生用の処理を施す再生系と、記録時のモード、再生時のモードに基いて、上記記録再生手段を連続的、間欠的または停止させた状態で上記補助記録媒体に対する制御を行い、上記主記録媒体からの再生時においては、上記補助記録媒体からの読み出し出力を見かけ上上記主記録媒体から再生されて直接出力されたものとすると共に、上記主記録媒体に対する映像及び音声信号の記録時においては、上記補助記録媒体からの読み出し出力を見かけ上入力される映像及び音声信号を直接上記主記録媒体に記録するものであり、上記主記録媒体に記録されている映像及び音声信号を通常の再生速度の１／Ｎ倍の再生速度で再生する場合は、上記主記録媒体から通常の再生速度で再生して得られた映像及び音声信号を上記補助記録媒体制御手段により、一旦補助記録媒体に記録し、上記補助記録媒体から映像及び音声信号を上記補助記録媒体制御手段により読み出す際に、少なくとも元のフレームの映像及び音声信号をＮ回出力するものである。
【００３５】
また本発明記録再生装置は、記録すべき映像及び音声信号に対して記録用の処理を施す記録処理手段と、上記記録処理手段からの映像及び音声信号を主記録媒体に記録すると共に、上記主記録媒体から映像及び音声信号を再生する記録再生手段と、上記記録処理手段からの映像及び音声信号、並びに上記記録再生手段により再生された映像及び音声信号を一時的に記録する上記主記録媒体よりもアクセス速度の速い補助記録媒体と、上記記録再生手段により再生された映像及び音声信号、並びに上記記録処理手段からの映像及び音声信号に対して再生用の処理を施す再生系と、上記補助記録媒体に対し映像及び音声信号の書き込みまたは読み出し制御を行う補助記録媒体制御手段と、記録時のモード、再生時のモードに基いて、上記記録再生手段を連続的、間欠的または停止させるよう制御すると共に、上記補助記録媒体制御手段に対するタイミング制御を行う制御手段とを有し、上記制御手段の制御により、上記主記録媒体からの再生時においては、上記補助記録媒体からの読み出し出力を見かけ上上記主記録媒体から再生されて直接出力されたものとすると共に、上記主記録媒体に対する映像及び音声信号の記録時においては、上記補助記録媒体からの読み出し出力を見かけ上入力される映像及び音声信号を直接上記主記録媒体に記録するものであり、上記主記録媒体に記録されている映像及び音声信号を通常の再生速度の１／Ｎ倍の再生速度で再生する場合は、上記主記録媒体から通常の再生速度で再生して得られた映像及び音声信号を上記補助記録媒体制御手段により、一旦補助記録媒体に記録し、上記補助記録媒体から映像及び音声信号を上記補助記録媒体制御手段により読み出す際に、少なくとも元のフレームの映像及び音声信号をＮ回出力するものとしたものである。
【００３６】
また本発明記録再生装置は、記録すべき映像及び音声信号に対して記録用の処理を施す記録処理手段と、上記記録処理手段からの映像及び音声信号を主記録媒体に記録すると共に、上記主記録媒体から映像及び音声信号を再生する記録再生手段と、上記記録処理手段からの映像及び音声信号、並びに上記記録再生手段により再生された映像及び音声信号を一時的に記録する上記主記録媒体よりもアクセス速度の速い補助記録媒体と、上記記録再生手段により再生された映像及び音声信号、並びに上記記録処理手段からの映像及び音声信号に対して再生用の処理を施す再生系と、上記補助記録媒体に対し映像及び音声信号の書き込みまたは読み出し制御を行う補助記録媒体制御手段と、記録時のモード、再生時のモードに基いて、上記記録再生手段を連続的、間欠的または停止させるよう制御すると共に、上記補助記録媒体制御手段に対するタイミング制御を行う制御手段と上記記録再生手段により上記主記録媒体を再生し、上記主記録媒体を再生して得られる上記主記録媒体上の位置情報に基いて、上記補助記録媒体から上記補助記録媒体上の編集点から上記記録すべき入力映像及び音声信号を読み出すタイミング信号を得るタイミング発生手段とを設け、記録すべき入力映像及び音声信号を上記主記録媒体の編集点から記録する場合は、上記記録すべき入力映像及び音声信号に上記記録処理手段により記録のための信号処理を施した後に上記制御手段の制御の元に上記補助記録媒体制御手段が上記記録処理手段により記録のための信号処理を施した上記映像及び音声信号を一旦上記補助記録媒体に記録し、上記主記録媒体の位置が上記主記録媒体上における編集点となったときに、上記タイミング発生手段からの上記タイミング信号に基いて、上記補助記録媒体から上記記録すべき入力映像及び音声信号を上記補助記録媒体制御手段が読み出し、上記主記録媒体に記録するものであり、上記主記録媒体に記録されている映像及び音声信号を通常の再生速度の１／Ｎ倍の再生速度で再生する場合は、上記主記録媒体から通常の再生速度で再生して得られた映像及び音声信号を上記補助記録媒体制御手段により、一旦補助記録媒体に記録し、上記補助記録媒体から映像及び音声信号を上記補助記録媒体制御手段により読み出す際に、少なくとも元のフレームの映像及び音声信号をＮ回出力するものである。
【００３７】
また本発明は、上記記録再生装置において、上記タイミング発生手段は、上記記録再生手段で再生された再生信号から上記位置情報を抽出する位置情報抽出手段と、上記位置情報抽出手段により上記位置情報が抽出された時点から時間を計測する時間計測手段と、上記位置情報が記録されているセクタと、次の映像及び音声信号記録用のセクタとの間を再生するために費やされる再生時間情報と、上記補助記録媒体から映像及び音声信号が読み出されてから実際に上記主記録媒体に記録され始めるまでに費やされる信号伝達時間情報を保持する保持手段と、上記再生時間情報と上記信号伝達時間情報とに基いて上記制御手段が上記補助記録媒体制御手段に対する制御タイミング時間を得る演算手段と、上記演算手段からの制御タイミング時間情報と、上記時間計測手段からの計測時間情報とを比較し、これらが一致した場合に上記制御手段に対して情報補助記録媒体を制御するための基準となるタイミング信号を供給するタイミング発生手段とで構成したものである。
【００３８】
また本発明は、上記記録再生装置において、上記記録再生装置を少なくとも２台用意し、一方の記録再生装置（以下第１の装置とする）を再生側、他方の記録再生装置（以下第２の装置とする）を記録側とし、上記第１の装置で再生して得られる映像及び音声信号を上記第２の装置の主記録媒体の編集点から記録する場合は、上記第１の装置で再生して得られる映像及び音声信号を第１の装置の上記補助記録媒体制御手段により上記補助記録媒体に一旦記録した後に、記録した映像及び音声信号を読み出し、この読み出した映像及び音声信号をモニタ用の再生映像及び音声信号として上記再生処理手段を介して出力し、上記モニタ用の再生映像及び音声信号を出力している間に、上記第２の装置の主記録媒体に記録すべき編集点の指定があった場合に、この指定された映像及び音声信号の上記補助記録媒体上のアドレスデータを上記制御手段により保持し、上記第２の装置の主記録媒体を上記記録再生手段により再生し、この主記録媒体を再生して得られる上記主記録媒体上の位置情報に基いて、上記第１の装置の補助記録媒体上の編集点から上記指定された映像及び音声信号を読み出すタイミングを上記第１の装置のタイミング発生手段で得、上記第２の装置の主記録媒体の位置が上記主記録媒体上における編集点となったときに、上記第１の装置の制御手段が上記第１の装置のタイミング発生手段からのタイミング信号に基いて、上記第１の装置において指定された映像及び音声信号以降の映像及び音声信号を上記第１の装置の補助記録媒体から読み出し、この読み出した映像及び音声信号を第１の装置の再生処理手段により再生のための信号処理を施した後に上記第２の装置に対して記録用として出力し、上記第２の装置の主記録媒体に第２の装置の記録再生手段により、編集点から記録するものである。
【００４０】
また本発明は、上記各発明において、上記補助記録媒体から映像及び音声信号を読み出し、少なくとも元のフレームの映像信号をＮ回出力する場合に、前半のフレームは第１のフィールドの映像信号に基いて補間し、中心のフレームは元のフレームの映像信号を用い、後半のフレームは第２のフィールドの映像信号に基いて補間するものである。
【００４１】
また本発明は、上記各発明において、上記補助記録媒体に上記主記録媒体から再生して得られた映像及び音声信号を記録し、上記補助記録媒体から映像及び音声信号を読み出し、１／Ｎ倍速再生を行う場合に、上記補助記録媒体制御手段は、単位期間のＭ倍の長さを有する期間に上記補助記録媒体に所定量のＭ個の映像及び音声信号を記録し、上記Ｍ個の映像及び音声信号の記録の後に上記補助記録媒体から上記期間に記録されたＭ個の映像及び音声信号を上記単位期間のＭ×Ｎ倍の期間内で順次読み出すものである。
【００４２】
また本発明は、上記各発明において、上記補助記録媒体に上記主記録媒体から再生して得られた映像及び音声信号を記録し、上記補助記録媒体から映像及び音声信号を読み出し、１／Ｎ倍速再生を行うため、単位時間のＭ倍の長さを有する期間に上記補助記録媒体に所定量のＭ個の映像及び音声信号を記録し、上記Ｍ個の映像及び音声信号の記録の後に上記記録されたＭ個の映像及び音声信号を上記単位期間のＭ×Ｎ倍の期間内で順次読み出し、少なくとも上記記録再生手段により所定量のＭ個の映像及び音声信号の再生が終了した時点において、上記制御手段の制御により、上記記録再生手段が主記録媒体の再生を、再生停止、または再生一時停止状態とし、次に映像及び音声信号を順次書き込むときには、上記制御手段の制御により、上記主記録媒体を上記記録再生手段で再生して実際に映像及び音声信号が得られるまでの時間分だけ手前の時点に上記記録再生手段が上記主記録媒体を再生するものである。
【００４３】
また本発明は、上記各発明において、上記主記録媒体に記録されている映像及び音声信号を通常の再生速度のＮ倍の再生速度で再生する場合は、上記主記録媒体から通常の再生速度で再生して得られた映像及び音声信号を上記補助記録媒体制御手段により一旦補助記録媒体に記録し、上記補助記録媒体から映像及び音声信号を読み出す際に、少なくともＮフレーム分毎に映像及び音声信号を出力するものである。
【００４４】
また本発明は、上記各発明において、上記補助記録媒体から映像及び音声信号を読み出す際に、少なくともＮフレーム内の映像及び音声信号をフィールド単位で均等に２フレーム分以上Ｎフレーム分毎に出力するものである。
【００４５】
【作用】
上述せる本発明記録再生方法によれば、記録すべき入力映像及び音声信号を主記録媒体の編集点から記録する場合は、上記記録すべき入力映像及び音声信号に記録のための信号処理を施した後に一旦上記主記録媒体よりもアクセス速度の速い補助記録媒体に記録し、上記主記録媒体を再生し、この主記録媒体を再生して得られる上記主記録媒体上の位置情報に基いて、上記補助記録媒体から上記補助記録媒体上の編集点から上記記録すべき入力映像及び音声信号を読み出すタイミングを得、上記主記録媒体の位置が上記主記録媒体上における編集点となったときに、上記タイミングに基いて、上記補助記録媒体から上記記録すべき入力映像及び音声信号を読み出し、上記主記録媒体に記録する。これによって、主記録媒体上に記録されている位置情報から、上記主記録媒体上の編集点を検出された場合には、上記補助記録媒体から入力映像及び音声信号が読み出され、読み出された入力映像及び音声信号が主記録媒体に記録される。
【００４６】
また上述せる本発明記録再生方法によれば、第１の装置で再生して得られる映像及び音声信号を第２の装置の主記録媒体の編集点から記録する場合は、上記第１の装置で再生して得られる映像及び音声信号を第１の装置の上記主記録媒体よりもアクセス速度の速い補助記録媒体に一旦記録した後に記録した映像及び音声信号を読み出し、この読み出した映像及び音声信号をモニタ用の再生映像及び音声信号として出力し、上記モニタ用の再生映像及び音声信号を出力している間に、上記第２の装置の主記録媒体に記録すべき編集点の指定があった場合に、この指定された映像及び音声信号の上記補助記録媒体上のアドレスデータを保持し、上記第２の装置の主記録媒体を再生し、この主記録媒体を再生して得られる上記主記録媒体上の位置情報に基いて、上記第１の装置の補助記録媒体から上記補助記録媒体上の編集点から上記指定された映像及び音声信号を読み出すタイミングを得、上記第２の装置の主記録媒体の位置が上記主記録媒体上における編集点となったときに、上記タイミングに基いて、上記第１の装置において指定された映像及び音声信号以降の映像及び音声信号を上記第１の装置の補助記録媒体から読み出し、この読み出した映像及び音声信号に再生のための信号処理を施した後に上記第２の装置に対して記録用として出力し、上記第２の装置の主記録媒体に編集点から記録する。これによって、第１の装置で再生され、補助記録媒体に記録された映像及び音声信号を再生している間に編集点の指定があると、そのときの補助記録媒体のアドレスデータが保持され、第２の装置を再生モードにし、その再生信号から得られる位置情報が記録媒体上における編集点となったときに、上記補助記録媒体から映像及び音声信号が読み出され、読み出された映像及び音声信号が編集処理が施された後に第２の装置の記録媒体上に編集点から順次記録される。
【００４７】
また上述せる本発明記録再生方法によれば、主記録媒体に記録されている映像及び音声信号を通常の再生速度のＮ倍の再生速度で再生する場合は、上記主記録媒体から通常の再生速度で再生して得られた映像及び音声信号を一旦上記主記録媒体よりもアクセス速度の速い補助記録媒体に記録し、上記補助記録媒体から映像及び音声信号を読み出す際に、少なくともＮフレーム分毎に映像及び音声信号を出力する。これによって、補助記録媒体からＮフレーム分毎に間欠的に読み出された映像及び音声信号は、異なる映像及び音声信号が出力されるので、視覚的及び聴覚的には高速再生と等価な表示状態を形成する。
【００４８】
また上述せる本発明記録再生装置によれば、主記録媒体からの再生時においては、上記主記録媒体よりもアクセス速度の速い補助記録媒体からの読み出し出力を見かけ上主記録媒体から再生されて直接出力されたものとすると共に、上記主記録媒体に対する映像及び音声信号の記録時においては、上記補助記録媒体からの読み出し出力を見かけ上入力される映像及び音声信号を直接上記主記録媒体に記録する。これによって、機器内においてのみ実際に補助記録媒体からの読み出し出力が用いられた処理が行われる。
【００４９】
また上述せる本発明記録再生装置によれば、記録すべき入力映像及び音声信号を上記主記録媒体の編集点から記録する場合は、上記記録すべき入力映像及び音声信号に記録処理手段により記録のための信号処理を施した後に制御手段の制御の元に補助記録媒体制御手段が記録処理手段により記録のための信号処理を施した上記映像及び音声信号を一旦上記主記録媒体よりもアクセス速度の速い補助記録媒体に記録し、上記主記録媒体の位置が上記主記録媒体上における編集点となったときに、上記タイミング発生手段からの上記タイミング信号に基いて、上記補助記録媒体から上記記録すべき入力映像及び音声信号を上記補助記録媒体制御手段が読み出し、上記主記録媒体に記録する。主記録媒体の位置が編集点となったときには、タイミング発生手段に基いて補助記録媒体制御手段により補助記録媒体から映像及び音声信号が読み出され、読み出された映像及び音声信号が主記録媒体上の編集点から順次記録される。
【００５０】
また上述せる本発明によれば、上記記録再生装置において、上記タイミング発生手段においては、位置情報抽出手段により、記録再生手段で再生された再生信号から位置情報を抽出し、時間計測手段により、上記位置情報抽出手段により上記位置情報が抽出された時点から時間を計測し、上記位置情報が記録されているセクタと、次の映像及び音声信号記録用のセクタとの間を再生するために費やされる再生時間情報と、上記補助記録媒体から映像及び音声信号が読み出されてから実際に上記主記録媒体に記録され始めるまでに費やされる信号伝達時間情報を保持手段に保持し、上記再生時間情報と上記信号伝達時間情報とに基いて上記制御手段が上記補助記録媒体制御手段に対する制御タイミング時間を演算手段で得、上記演算手段からの制御タイミング時間情報と、タイミング発生手段が上記時間計測手段からの計測時間情報とを比較し、これらが一致した場合に上記制御手段に対して補助記録媒体を制御するための基準となるタイミング信号を供給する。これによって、演算手段が得た制御タイミング時間情報と計測手段が得た補助記録媒体から映像及び音声信号が読み出されてから実際に主記録媒体に記録され始めるまでに費やされる計測時間情報との一致がタイミング発生手段によって検出されると、このタイミング発生手段からタイミング信号が出力され、このタイミング信号によって補助記録媒体が映像及び音声信号が読み出される。
【００５１】
また上述せる本発明によれば、第１の装置で再生して得られる映像及び音声信号を第１の装置の上記補助記録媒体制御手段により主記録媒体よりもアクセス速度の速い補助記録媒体に一旦記録した後に、記録した映像及び音声信号を読み出し、この読み出した映像及び音声信号をモニタ用の再生映像及び音声信号として上記再生処理手段を介して出力し、上記モニタ用の再生映像及び音声信号を出力している間に、上記第２の装置の主記録媒体に記録すべき編集点の指定があった場合に、この指定された映像及び音声信号の上記補助記録媒体上のアドレスデータを上記制御手段により保持し、上記第２の装置の主記録媒体を上記記録再生手段により再生し、この主記録媒体を再生して得られる上記主記録媒体上の位置情報に基いて、上記第１の装置の補助記録媒体上の編集点から上記指定された映像及び音声信号を読み出すタイミングを上記第１の装置のタイミング発生手段で得、上記第２の装置の主記録媒体の位置が上記主記録媒体上における編集点となったときに、上記第１の装置の制御手段が上記第１の装置のタイミング発生手段からのタイミング信号に基いて、上記第１の装置において指定された映像及び音声信号以降の映像及び音声信号を上記第１の装置の補助記録媒体から読み出し、この読み出した映像及び音声信号を第１の装置の再生処理手段により再生のための信号処理を施した後に上記第２の装置に対して記録用として出力し、上記第２の装置の主記録媒体に第２の装置の記録再生手段により、編集点から記録する。これによって、第１の装置で再生され、補助記録媒体に記録された映像及び音声信号を再生している間に編集点の指定があると、そのときの補助記録媒体のアドレスデータが保持され、第２の装置を再生モードにし、その再生信号から得られる位置情報が記録媒体上における編集点となったときに、上記補助記録媒体から映像及び音声信号が読み出され、読み出された映像及び音声信号が編集処理が施された後に第２の装置の記録媒体上に編集点から順次記録される。
【００５２】
また上述せる本発明によれば、上記記録再生装置において、上記主記録媒体に記録されている映像及び音声信号を通常の再生速度の１／Ｎ倍の再生速度で再生する場合は、上記主記録媒体から通常の再生速度で再生して得られた映像及び音声信号を上記補助記録媒体制御手段により、一旦補助記録媒体に記録し、上記補助記録媒体から映像及び音声信号を上記補助記録媒体制御手段により読み出す際に、少なくとも元のフレームの映像及び音声信号をＮ回出力する。これによって、補助記録媒体から１フレームにつきＮ回ずつ読み出された映像及び音声信号は、同じ映像及び音声信号がＮ回ずつ出力されるので、視覚的及び聴覚的には低速再生と等価な表示状態を形成する。
【００５３】
また上述せる本発明によれば、上記各発明において、上記補助記録媒体から映像及び音声信号を読み出し、少なくとも元のフレームの映像信号をＮ回出力する場合に、前半のフレームは第１のフィールドの映像信号に基いて補間し、中心のフレームは元のフレームの映像信号を用い、後半のフレームは第２のフィールドの映像信号に基いて補間する。これによって、Ｎ回分のフレームの時間軸上の構成が、前半は第１フィールドの映像信号に基いて補間されたフレーム、次は元のフレームの映像信号、後半は第２フィールドの映像信号に基いて補間されたフレームといった変化のより少ない構成となり、視覚的には、変化の少ないいわゆる滑らかな表示状態を形成する。
【００５４】
また上述せる本発明によれば、上記各発明において、上記補助記録媒体に上記主記録媒体から再生して得られた映像及び音声信号を記録し、上記補助記録媒体から映像及び音声信号を読み出し、１／Ｎ倍速再生を行う場合に、上記補助記録媒体制御手段は、単位期間のＭ倍の長さを有する期間に上記補助記録媒体に所定量のＭ個の映像及び音声信号を記録し、上記Ｍ個の映像及び音声信号の記録の後に上記補助記録媒体から上記期間に記録された上記Ｍ個の映像及び音声信号を上記単位期間のＭ×Ｎ倍の期間内で順次読み出す。これによって、単位期間のＭ倍の長さを有する期間に補助記録媒体に記録された所定量のＭ個の映像及び音声信号が、Ｎ回ずつ単位期間のＭ×Ｎ倍の期間内において順次読み出され、補助記録媒体から１フレームにつきＮ回ずつ読み出された映像及び音声信号は、同じ映像及び音声信号がＮ回ずつ出力されるので、視覚的及び聴覚的には低速再生と等価な表示状態を形成する。
【００５５】
また上述せる本発明によれば、上記各発明において、上記補助記録媒体に上記主記録媒体から再生して得られた映像及び音声信号を記録し、上記補助記録媒体から映像及び音声信号を読み出し、１／Ｎ倍速再生を行うため、単位期間のＭ倍の長さを有する期間に上記補助記録媒体に所定量のＭ個の映像及び音声信号を記録し、上記Ｍ個の映像及び音声信号の記録の後に上記Ｍ個の映像及び音声信号を上記単位期間のＭ×Ｎ倍の期間内で順次読み出し、少なくとも上記記録再生手段により所定量のＭ個の映像及び音声信号の再生が終了した時点において、上記制御手段の制御により、上記記録再生手段が主記録媒体の再生を、再生停止、または再生一時停止状態とし、次に映像及び音声信号を書き込むときには、上記制御手段の制御により、上記主記録媒体を上記記録再生手段で再生して実際に映像及び音声信号が得られるまでの時間分だけ手前の時点に上記記録再生手段が上記主記録媒体を再生する。これによって、単位期間のＭ倍の長さを有する期間に補助記録媒体に記録された所定量のＭ個の映像及び音声信号が、Ｎ回ずつ単位期間のＭ×Ｎ倍の期間内において順次読み出され、補助記録媒体から１フレームにつきＮ回ずつ読み出された映像及び音声信号は、同じ映像及び音声信号がＮ回ずつ出力されるので、視覚的及び聴覚的には低速再生と等価な表示状態を形成すると共に、次の処理の準備が行われる。
【００５６】
また上述せる本発明によれば、上記各発明において、上記主記録媒体に記録されている映像及び音声信号を通常の再生速度のＮ倍の再生速度で再生する場合は、上記主記録媒体から通常の再生速度で再生して得られた映像及び音声信号を上記補助記録媒体制御手段により一旦補助記録媒体に記録し、上記補助記録媒体から映像及び音声信号を読み出す際に、少なくともＮフレーム分毎に映像及び音声信号を出力する。これによって、補助記録媒体からＮフレーム分毎に間欠的に読み出された映像及び音声信号は、異なる映像及び音声信号が出力されるので、視覚的及び聴覚的には高速再生と等価な表示状態を形成する。
【００５７】
また上述せる本発明によれば、上記各発明において、上記補助記録媒体から映像及び音声信号を読み出す際に、少なくともＮフレーム内の映像及び音声信号をフィールド単位で均等に２フレーム分以上Ｎフレーム分毎に出力する。これによって、補助記録媒体からＮフレーム分毎に均等に２フレーム分以上フィールド単位で読み出された映像及び音声信号は、異なるフレームの映像及び音声信号が出力されるので、視覚的及び聴覚的には高速再生と等価、かつ、滑らかな表示状態を形成する。
【００５８】
【実施例】
以下に、図１〜図１１を順次参照して本発明記録再生方法及びその装置の一実施例について詳細に説明する。
【００５９】
本発明記録再生方法及びその装置の一実施例の説明は、次に示す項目説明を各項目の先頭に記載し、各項目について次に示す順序で説明する。
【００６０】
Ａ．本発明記録再生方法及びその装置が適用されるディジタルＶＴＲの構成及びその動作説明（図１参照）
Ｂ．図１に示した入出力回路８の内部構成例及びその動作説明（図２参照）
Ｃ．図１に示したトラック情報検出回路１６の内部構成及びその動作説明（図３参照）
Ｄ．図１に示したディジタルＶＴＲのテープフォーマットの説明（図４参照）Ｅ．図１に示したディジタルＶＴＲ及び図２に示したトラック情報検出回路の動作説明（図５参照）
Ｆ．図１に示したディジタルＶＴＲの記録時の動作説明（図６参照）
Ｇ．図１に示したディジタルＶＴＲの通常速度の再生時の動作説明（図７参照）
Ｈ．図１に示したディジタルＶＴＲの１／５倍速の再生時の動作説明（図８参照）
Ｉ．図１に示したディジタルＶＴＲの９倍速の再生時の動作説明（図９参照）Ｊ．図１に示したディジタルＶＴＲの９倍速の再生時の出力動作の説明（図１１参照）
Ｋ．図１に示したディジタルＶＴＲを用いて編集した場合の編集点のアクセス方式の説明（図１０参照）
＊第２実施例
＊第３実施例
＊第４実施例
＊第５実施例
【００６１】
［第１実施例］
【００６２】
〔第１実施例の概要〕
図１から図３に示すように、記録時においても再生時においても映像及び音声データを入出力回路８のメモリ８ｄを介して入出力する構成にすると共に、インサートの場合においては磁気テープ上の編集点を基準セクタで認識し、入力される映像及び音声信号をキーにより指定した時点に、対応する映像及び音声データをメモリ８ｄから読み出し、磁気テープ上の編集点から記録し、１／Ｎ倍速再生の場合は最初に数百フレーム分の映像及び音声データをメモリ８ｄに書き込み、一旦テープトランスポート１１を停止し、メモリ８ｄから映像及び音声データを読み出し、この後テープトランスポート１１を再生状態にしてその再生映像及び音声データをメモリ８ｄのデータ読み出し済みエリアに書き込むといった動作を行い、テープトランスポート１１を間欠的に再生してその再生映像及び音声データを間欠的にメモリ８ｄに書き込む一方で、読み出しは連続的に行えるようにしてメモリ８ｄを用いた１／Ｎ倍速再生を実現し、Ｎ倍速再生の場合は、磁気テープ上の範囲を予め指定し、その指定期間分の再生映像及び音声データをメモリ８ｄに再生速度に応じて間引きながら一旦書き込み、メモリ８ｄに書き込んだ映像及び音声データを読み出すようにする。
【００６３】
Ａ．本発明記録再生方法及びその装置が適用されるディジタルＶＴＲの構成及びその動作説明（図１参照）
【００６４】
図１は本発明記録再生方法及びその装置を適用したディジタルＶＴＲの一例を示す構成図である。
【００６５】
〔接続及び構成〕
図において、１は記録すべきアナログ映像信号が供給される入力端子、２はこの入力端子１を介して供給される記録すべきアナログ映像信号をディジタル映像データに変換するＡ−Ｄコンバータ、３はこのＡ−Ｄコンバータ２からのディジタル映像データを記憶するフレームメモリ、４はこのフレームメモリ３から読み出されるディジタル映像データを圧縮符号化する圧縮符号化回路である。
【００６６】
５は、記録すべきアナログ音声信号が供給される入力端子、６はこの入力端子６を介して供給される記録すべきアナログ音声信号をディジタル音声データに変換するＡ−Ｄコンバータ、７は上記圧縮符号化回路４からの圧縮ディジタルデータ、並びに上記Ａ−Ｄコンバータ６からのディジタル音声データに対し、夫々エラー訂正コードを付加するエラー訂正コード付加回路である。
【００６７】
ここで、上記圧縮符号化回路４においては、例えばＤＣＴ（離散コサイン変換）、ＡＤＲＣ（アダプティブ・ダイナミック・レンジ・コーディング）、ウエーブレット変換、並びにハフマンやランレングス等の可変長符号化処理等が行われる。また、上記エラー訂正コード付加回路７では、圧縮ディジタルデータ及びディジタル音声データに対して夫々インナーパリティが付加され、この後、インナーパリティが付加された圧縮ディジタルデータ及びディジタル音声データに対してアウターパリティが付加される。
【００６８】
インナーパリティやアウターパリティ等のエラー訂正コードが付加されたディジタルデータはメモリを有する入出力回路８に供給される。入出力回路８はシステムコントローラ１７からの制御信号に基いてメモリコントローラ１９から供給される書き込み／読み出し制御信号により、入力されるディジタルデータを内部のメモリに書き込み、内部のメモリに書き込んだディジタルデータを読み出す。読み出されるデータはチャンネルコーディング回路９に供給され、このチャンネルコーディング回路９においてディジタル変調された後に記録増幅回路１０を介してテープトランスポート１１の磁気ヘッド（図示せず）に供給され、このテープトランスポート１１にセットされているビデオ・テープ・カセットの磁気テープ（図示せず）に傾斜トラックを形成するように記録される。
【００６９】
ここで、上記テープトランスポート１１は、ビデオ・テープ・カセットを取り込むための機構、この機構を駆動するためのモータを含む駆動部、取り込んだビデオ・テープ・カセットから磁気テープを引き出して回転ドラムに巻き付ける機構、この機構を駆動するためのモータを含む駆動部、例えば２つ以上の磁気ヘッドが登載された回転ドラム、この回転ドラムを駆動するためのモータを含む駆動部で構成される。また、本例においては、１フレームを１０トラックで構成し、記録方式は、ディジタルコンポーネント記録方式を採用するものとする。
【００７０】
１２は再生増幅回路であり、テープトランスポート１１にセットされているビデオ・テープ・カセットの磁気テープ上に記録されているディジタルデータが磁気ヘッドによって再生されると、その再生ディジタルデータを増幅し、同期検出／データ抽出回路１３に供給する。同期検出／データ抽出回路１３は、再生ディジタルデータからクロックを再生し、そのクロックにより、ディジタルデータを抽出すると共に同期信号ＳＹＮＣを検出する。抽出されたディジタルデータは、チャンネルデコーディング回路１４に供給され、検出された同期信号ＳＹＮＣはシステムコントローラ１７及びクロック発生回路２１に夫々供給される。チャンネルデコーディング回路１４は同期検出／データ抽出回路１３からのディジタルデータを復調する。
【００７１】
チャンネルデコーディング回路１４の出力は入出力回路８及びトラック情報検出回路１６に夫々供給される。トラック情報検出回路１６は後に図３を参照して詳しく説明するが、チャンネルデコーディング回路１４から例えば基準セクタ情報等のトラック情報を得、このトラック情報に基いて、システムコントローラ１７が制御信号を出力するためのタイミングを示すタイミング信号を出力する。
【００７２】
システムコントローラ１７は、入力端子１及び５を介して供給される入力映像及び音声信号を用いた処理を行う場合は、クロック発生回路２１からの基準クロック信号と、上記トラック情報検出回路１６からのタイミング信号に基いてメモリコントローラ１９に対する制御を行い、外部同期により処理を行う場合は、クロック発生回路２１からの基準クロック信号と、入力端子１８を介して供給される基準信号（例えばゲンロック信号等）に基いてメモリコントローラ１９に対する制御を行い、テープトランスポート１１を再生し、その再生映像及び音声データを用いて処理を行う場合は、基準クロック発生回路２１からの基準クロック信号と、同期検出／データ抽出回路１３からの同期信号ＳＹＮＣに基いてメモリコントローラ１９に対する制御を行い、単にメモリ８ｄに記憶した映像及び音声データを処理する場合にはクロック発生回路２１からの内部クロックに基いてメモリコントローラ１９に対する制御を行う。但し、テープトランスポート１１の制御に関しては、クロック発振器１７ａで発生した内部基準クロックを用いて行う。
【００７３】
また、このシステムコントローラ１７は、ユーザインターフェース２０からの操作情報に基いて、各種制御を行う。また、このシステムコントローラ１７は、内部のメモリにテープトランスポート１１に再生等の指示を与えた場合に、指示を与えた時点から実際にテープトランスポート１１が動作をするまでの動作時間データを保持しており、メモリコントローラ１９に対する制御やテープトランスポート１１に対する制御において、上記この動作時間データを考慮する。
【００７４】
また、このシステムコントローラ１７は、１／５倍速再生等のように、通常の再生速度よりも遅い再生速度の場合に、フレームメモリ２４に対して書き込み、読み出しの制御を行うことで、フィールドデータに基づくフレームデータへの変換（補間）を行う。補間の方法としては、ＯＤＤフィールドのデータに基いてフレームデータを得る補間とＥＶＥＮフィールドのデータに基いてフレームデータを得る補間を適宜用いるものとする。この技術については既に周知である。勿論、補間回路を別途設け、システムコントローラ１７の制御と並行して補間処理を行うようにしても良い。
【００７５】
また、このシステムコントローラ１７は、入出力端子１５を介して他のＶＴＲを制御する。
【００７６】
ここで、ユーザインターフェース２０は、図に示すように、表示器２０ａ、コマ送り再生等を行うジョグダイアル２０ｊ、回転角度に基いた再生速度で再生を行うためのシャトルキー２０ｓ、各種操作キー群２０ｋで構成する。また、上記表示器２０ａにはタイムコード等、各種情報が表示される。また、上記操作キー群２０ｋ、例えばテンキー等の数値入力用のキー、再生キー、記録キー、一時停止キー、停止キー、イン点やアウト点等を指定するためのキー、インサート用のキー、巻き戻しや早送り用のキー等を有する。
【００７７】
クロック発生回路２１は、入力端子１及び５を介して供給される入力映像及び音声信号を用いて処理を行う場合には、入力端子１を介して供給される映像信号中から抽出した垂直同期信号に基いてクロック信号を発生し、テープトランスポート１１で再生して得られた再生映像及び音声データを用いて処理を行う場合には、同期検出／データ抽出回路１３からの同期信号ＳＹＮＣに基いてクロック信号を発生し、入力端子１８を介して供給される基準信号を用いて処理を行う場合には、入力端子１８を介して供給される基準信号に基いてクロック信号を発生する。
【００７８】
入出力回路８に一旦記憶されたディジタル再生データはエラー訂正処理回路２２に供給される。このエラー訂正処理回路２２は、入出力回路８から供給されるディジタルデータに対し、インナーパリティやアウターパリティを用いてエラー訂正を行い、更に、アウターパリティによって訂正不能となったデータに対してはエラー修整を行う。また、このエラー訂正処理回路２２は、後述するＩＤデータをシステムコントローラ１７に供給する。
【００７９】
このエラー訂正処理回路２２の出力の内、圧縮ディジタル映像データは圧縮復号化回路２３に供給され、ディジタル音声データはＤ−Ａコンバータ２７に供給され、このＤ−Ａコンバータ２７においてアナログ音声信号に変換された後に出力端子２８から出力され、図示しないアンプ等を介してスピーカに供給され、スピーカから音声として出力される。
【００８０】
圧縮復号化回路２３は、エラー訂正処理回路２２からの圧縮ディジタル映像データに対し、上記圧縮符号化回路４における処理と逆の処理を行うことで、元のディジタル映像データを得る。このディジタル映像データはフレームメモリ２４に一旦記憶された後に読み出され、Ｄ−Ａコンバータ２５においてアナログ映像信号に変換された後に出力端子２６から出力され、図示しないテレビジョンモニタ等に画像として表示される。
【００８１】
Ｂ．図１に示した入出力回路８の内部構成例及びその動作説明（図２参照）
【００８２】
図２は図１に示した入出力回路８の内部構成例を示す構成図である。
【００８３】
〔接続及び構成〕
図において、８ａは図１に示したエラー訂正コード付加回路７からのエラー訂正コードの付加されたディジタルデータが供給される入力端子、８ｂは図１に示したチャンネルデコーディング回路１４からの復調されたディジタルデータが供給される入力端子、８ｇは図１に示したチャンネルコーディング回路９に読み出したディジタルデータを供給するための入力端子、８ｈは図１に示したエラー訂正処理回路２２に読み出したディジタルデータを供給するための入力端子である。
【００８４】
入力端子８ａをスイッチ８ｃの一方の固定接点ａに接続し、入力端子８ｂをスイッチ８ｃの他方の固定接点ｂに接続し、スイッチ８ｃの可動接点ｃをメモリ８ｄのデータ入力端子に接続し、メモリ８ｄのデータ出力端子をスイッチ８ｆの可動接点ｃに接続し、このスイッチ８ｆの一方の固定接点ａを図１に示したチャンネルコーディング回路９の入力端子に接続し、このスイッチ８ｆの他方の固定接点ｂを図１に示したエラー訂正処理回路２２の入力端子に接続する。
【００８５】
また、ｉｎ１は図１に示したメモリコントローラ１９からのスイッチング制御信号が供給される入力端子、ｉｎ２は図１に示したメモリコントローラ１９からの書き込み側アドレス信号が供給される入力端子、ｉｎ３は図１に示したメモリコントローラ１９からの書き込み制御信号が供給される入力端子、ｉｎ４は図１に示したメモリコントローラ１９からの読み出し側アドレス信号が供給される入力端子、ｉｎ５は図１に示したメモリコントローラ１９からの読み出し制御信号が供給される入力端子、ｉｎ６は図１に示したメモリコントローラ１９からのスイッチング制御信号が供給される入力端子である。
【００８６】
ここで、上記メモリ８ｄは、ハードウエアで構成したＦＩＦＯ（ファースト・イン・ファースト・アウト）メモリで構成するものとする。尚、ソフトウエアでＦＩＦＯを構成する場合は、図１に示した入出力回路８を使用しなくても良い。この場合は、システムコントローラ内のＲＡＭを大容量のものにし、ＣＰＵ或いはＤＭＡコントローラ等によりＦＩＦＯとして動作させるようにすることができる。
【００８７】
〔動作〕
通常の記録時（入力映像及び音声信号を記録する時）の動作は次の通りである。システムコントローラ１７からの通常の記録を示す制御信号が供給されると、メモリコントローラ１９は入出力回路８にスイッチング制御信号を供給する。このスイッチング制御信号により、スイッチ８ｃの可動接点ｃは固定接点ａに接続され、スイッチ８ｆの可動接点ｃは固定接点ａに接続される。
【００８８】
この後、メモリコントローラ１９から入力端子ｉｎ２を介して供給される書き込み側アドレス信号、並びに入力端子ｉｎ３を介して供給される書き込み制御信号により、エラー訂正コード付加回路７からのディジタルデータが順次メモリ８ｄに書き込まれる。そしてメモリコントローラ１９から入力端子ｉｎ４を介して供給される読み出し側アドレス信号、並びに入力端子ｉｎ５を介して供給される読み出し制御信号により、メモリ８ｄに書き込まれたディジタルデータが読み出される。このとき、メモリコントローラ１９は、読み出し側のアドレスが書き込み側のアドレスが一致しないようにタイミングをずらしていることはいうまでもない。
【００８９】
メモリ８ｄから読み出されたディジタルデータは、チャンネルコーディング回路９及び記録増幅回路１０を経てテープトランスポート１１の磁気ヘッドに供給され、このテープトランスポート１１にセットされているビデオ・テープ・カセットの磁気テープ上に傾斜トラックを形成するように記録される。
【００９０】
通常の再生時（磁気テープ上に記録された映像及び音声データを再生する時）の動作は次の通りである。システムコントローラ１７からの通常の再生を示す制御信号が供給されると、メモリコントローラ１９は同期検出／データ抽出回路１３から供給される再生同期信号に基いて、入出力回路８にスイッチング制御信号を供給する。このスイッチング制御信号により、スイッチ８ｃの可動接点ｃは固定接点ｂに接続され、スイッチ８ｆの可動接点ｃは固定接点ｂに接続される。
【００９１】
この後、メモリコントローラ１９から入力端子ｉｎ２を介して供給される書き込み側アドレス信号、並びに入力端子ｉｎ３を介して供給される書き込み制御信号により、チャンネルデコーディング回路１４からのディジタルデータが順次メモリ８ｄに書き込まれる。そしてメモリコントローラ１９から入力端子ｉｎ４を介して供給される読み出し側アドレス信号、並びに入力端子ｉｎ５を介して供給される読み出し制御信号により、メモリ８ｄに書き込まれたディジタルデータが読み出される。
【００９２】
メモリ８ｄから読み出されたディジタルデータは、エラー訂正処理回路２２に供給されてエラー訂正処理等が施された後、映像、音声別々に出力され、上述したように、出力端子２６からアナログ映像信号として出力され、出力端子２８からアナログ音声信号として出力される。
【００９３】
入力される映像及び音声信号を、テープトランスポート１１にセットされているビデオ・テープ・カセットの磁気テープ上の所定の位置から順次記録する場合について説明する。条件としては、テープトランスポート１１にセットされているビデオ・テープ・カセットの磁気テープ上の編集点ＩＰが予め指定されており、ユーザが入力映像及び音声信号をモニタしながら入力映像及び音声信号上における編集点を指定したときに、その入力映像及び音声信号以降のディジタルデータ（エラー訂正コード付加処理後の映像及び音声データ）を同期検出／データ抽出回路１３からの同期信号に基いてメモリ８ｄから読み出し、テープトランスポート１１にセットされているビデオ・テープ・カセットの磁気テープの位置が編集点となったときに、メモリ８ｄから読み出されたディジタルデータが磁気ヘッドに到達するようにすることが条件となる。動作は次の通りである。
【００９４】
システムコントローラ１７からの通常の再生を示す制御信号が供給されると、メモリコントローラ１９は入出力回路８にスイッチング制御信号を供給する。このスイッチング制御信号により、スイッチ８ｃの可動接点ｃは固定接点ａに接続され、スイッチ８ｆの可動接点ｃは固定接点ｂに接続される。これによって、入力映像及び音声信号がメモリ８ｄに一旦書き込まれた後に、このメモリ８ｄから読み出され、エラー訂正処理回路２２で処理された後に、ディジタル映像データは、圧縮復号化回路２３、フレームメモリ２４、Ｄ−Ａコンバータ２５を経た後、アナログ映像信号として出力端子２７から出力され、ディジタル音声データは、Ｄ−Ａコンバータ２７を経た後、アナログ音声信号として出力端子２８から出力され、映像及び音声をモニタすることができる。この間、テープトランスポート１１は、システムコントローラ１７の制御により再生状態となっている（プリロール期間とする）。
【００９５】
ユーザが映像及び音声をモニタしながら図１に示したユーザインターフェース２０の操作キー群２０ｋの編集点を指定するためのキーを押圧すると、システムコントローラ１７からメモリコントローラ１９にその旨が通知され、これによって、メモリコントローラ１９はユーザに指定された入力映像及び音声信号における編集点のアドレスを認識することができる。
【００９６】
この後、トラック情報検出回路１６が上記基準セクタ情報を得ると、上述した処理により、タイミング信号を発生し、このタイミング信号をシステムコントローラ１７に供給する。システムコントローラ１７は、トラック情報検出回路１６からのタイミング信号により、メモリコントローラ１９に読み出しを開始させるための制御信号を供給する。また、システムコントローラ１９は、テープトランスポート１１に制御信号を供給し、テープトランスポート１１にセットされているビデオ・テープ・カセットの磁気テープ上の編集点としての記録トラックの内のオーディオセクタに磁気ヘッドが突入するときに、丁度、テープトランスポート１１が記録状態となるようにする。
【００９７】
メモリコントローラ１９はシステムコントローラ１７からの制御信号により、編集点のアドレス（読み出し側アドレス）を入力端子ｉｎ４を介してメモリ８ｄに供給すると共に、読み出し制御信号を入力端子ｉｎ５を介してメモリ８ｄに供給する。これによって、メモリ８ｄに書き込まれたディジタルデータが編集点に対応する位置から読み出される。
【００９８】
メモリ８ｄから読み出されたディジタルデータは、チャンネルコーディング回路９、記録増幅回路１０を経てテープトランスポート１１の磁気ヘッドに供給され、これと同時に磁気ヘッドが編集点としての記録トラックのオーディオセクタの走査を開始する。これによって、テープトランスポート１１にセットされているビデオ・テープ・カセットの磁気テープ上の編集点としての記録トラック（基準セクタは記録しないので除く）から順次入力映像及び音声信号を記録することができる。
【００９９】
尚、１／５倍速再生等のように、通常の再生速度よりも遅い再生速度の場合は、メモリコントローラ１９の書き込み、読み出し制御により、最初に数百フレーム分の映像及び音声データがメモリ８ｄの書き込まれる。メモリコントローラ１９は、メモリ８ｄに書き込まれた映像及び音声データを読み出し、最初に書き込んだ数百フレーム分のデータの例えば１／２となったところで読み出しの終了した映像及び音声データの記憶されていたエリアに次の映像及び音声データを書き込むようにする。
【０１００】
ここでの説明を更に分かり易くするために、上記最初の数百フレーム分のデータを、この数百フレーム分のデータの１／２の数百フレーム分のデータＡ１及び残りの１／２の数百フレーム分のデータＢ１で構成するものとし、更に、数百フレーム分のデータＡを書き込むエリアをエリアａ、数百フレーム分のデータＢを書き込むエリアをエリアｂとして再度説明する。
【０１０１】
最初は上記数百フレーム分のデータＡ１及びＢ１が両方共メモリ８ｄの各エリアａ及びｂに夫々書き込まれる。この後、最初の期間では数百フレーム分のデータＡ１がエリアａから読み出され、続いて次の期間ではエリアｂから数百フレーム分のデータＢ１の読み出しが開始されると同時にテープトランスポート１１からの次の数百フレーム分のデータＡ２が再生され、この数百フレーム分のデータＡ２がメモリ８ｄのエリアａに書き込まれ、次の期間ではエリアａから数百フレーム分のデータＡ２が読み出されると同時にテープトランスポート１１から次の数百フレーム分のデータＢ２が再生され、この数百フレーム分のデータＢ２がメモリ８ｄのエリアｂに書き込まれ、・・・・以下同様に１つの期間で２つのエリアに対して書き込みと読み出しが行われる。
【０１０２】
テープトランスポート１１は数百フレーム分のデータＡ或いはＢの再生時のみ再生状態にされ、１つの期間において数百フレームＡ或いはＢの再生が終了すると、次の期間までは停止、或いは再生一時停止状態にされる。メモリ８ｄに対する書き込み、読み出し時においては、テープトランスポート１１が再生状態または再生一時停止状態の場合は図１に示した同期検出／データ抽出回路１３からの同期信号が、テープトランスポート１１が停止状態の場合は図１に示したクロック発生器１７ａからの基準クロック信号が夫々基準信号として用いられる。
【０１０３】
尚、システムコントローラ１７は、テープトランスポート１１を各期間の先頭（各期間の読み出しが終了した時点）において、停止状態から再生が行われるようにするために、上述したメモリ等に記憶しているテープトランスポート１１を立ち上げるための動作時間データが示す時間分だけ次の期間の手前に再生動作開始の指令を出力する。
【０１０４】
また、再生一時停止状態から再生を開始するようにする場合においては、メモリ８ｄに書き込むべき最終のデータ（１本の記録トラックのデータ）が再生一時停止状態の間間断なく供給されるのでメモリコントローラ１９に対し、その期間の最後の書き込みが終了した段階で書き込みを禁止するようにしても良い。
【０１０５】
Ｃ．図１に示したトラック情報検出回路１６の内部構成及びその動作説明（図３参照）
【０１０６】
図３は、図１に示したトラック情報検出回路１６の内部構成例を示す構成図である。
【０１０７】
〔接続及び構成〕
図において、１６ａは図１に示したチャンネルコーディング回路１４から供給される再生ディジタルデータが供給される入力端子、１６ｂはこの入力端子１６ａを介して供給される再生ディジタルデータから上述した基準セクタ情報等のトラック情報を抜き取るトラック情報抜き取り回路、１６ｃはトラック情報抜き取り回路１６ｂから基準セクタ情報が供給された時点にタイマ１６ｅに時間計測を開始させると共に、ＲＯＭ１６ｄから読み出した、基準セクタからオーディオセクタまでの時間を示すデータから、記録信号がテープトランスポート１１に到達するまでの時間を示すデータを減算する演算回路、１６ｆはタイマ１６ｅからの計測時間を示すデータと演算回路１６ｃからの演算結果としてのデータを比較し、これらが同じとなった場合にタイミング信号を発生するタイミング発生回路であり、このタイミング発生回路１６ｆで発生されたタイミング信号は、出力端子１６ｇを介して図１に示したシステムコントローラ１７に供給される。
【０１０８】
ここで、上記演算回路１６ｃは、基準セクタからオーディオセクタまでの時間を示すデータ、並びに記録信号がテープトランスポートに到達するまでの時間を示すデータを記憶している。また、上記タイマ１６ｅは図１に示したクロック発生回路２１から入力端子１６ｈを介して供給されるクロック信号をカウントすることにより、時間の計測を行う。
【０１０９】
Ｄ．図１に示したディジタルＶＴＲのテープフォーマットの説明（図４参照）
【０１１０】
図４は、図１に示したディジタルＶＴＲのテープフォーマットの一例を示す説明図である。
【０１１１】
本例においては、図において、Ｔｎ及びＴｎ＋１は夫々磁気テープＴｐ上に形成された記録トラック、ＳＳはサブコードセクタ、ＶＳはビデオセクタ、ＡＳはオーディオセクタ、ＲＳはトラッキングの基準となる基準セクタである。また、ＩＤａは、これら各セクタに夫々斜線で示す領域に記録されているＩＤデータを示す。ＩＤデータは、例えばタイムコード（時、分、秒、フレーム等の情報からなる）、このトラックがそのフレームの何番目かを示すデータの他、周知の付加情報が記録されている。ｂｙ１は磁気テープＴｐの走行方向を示し、ｂｙ２は磁気ヘッドの走査方向を示す。
【０１１２】
ここで、上記基準セクタＲＳは、基準セクタ情報が記録されており、基準セクタ情報とは、基準セクタＲＳの走査を磁気ヘッドが終えた時点にトラック情報検出回路１６に基準セクタＲＳに対する磁気ヘッドの走査が終了したことを示すデータである。例えば、基準セクタＲＳの入り口部分から出口部分の手前まで“１”或いは“０”を記録し、基準セクタＲＳの出口部分に“０”或いは“１”を記録するようにするのも１つの方法である。
【０１１３】
また、ｔは、磁気ヘッドが基準セクタＲＳの一端（磁気ヘッドの出口部分に該当する）からオーディオセクタの一端（磁気ヘッドの突入部分に該当する）に到達するまでの時間である。
【０１１４】
Ｅ．図１に示したディジタルＶＴＲ及び図３に示したトラック情報検出回路の動作説明（図５参照）
【０１１５】
図５は図３に示したトラック情報検出回路１６の動作を説明するためのフローチャートである。
【０１１６】
ステップＳ１では、トラック情報を取得する。即ち、図３に示したトラック情報抜き取り回路１６ｂが、図１に示したチャンネルデコーディング回路１４からのディジタルデータ中からトラック情報としての基準セクタ情報を抜き取る。そしてステップＳ２に移行する。
【０１１７】
ステップＳ２では、取得できたか否かを判断し、「ＹＥＳ」であればステップＳ３に移行する。トラック情報の取得完了の確認である。
【０１１８】
ステップＳ３ではタイマの計測を開始する。つまり、図２に示したタイマ１６ｄは、トラック情報抜き取り回路１６ｂからトラック情報が供給されると、その時点から時間の計測を開始する。そしてステップＳ４に移行する。
【０１１９】
ステップＳ４では、基準セクタからオーディオセクタまでの時間から、記録信号がテープトランスポートに到達するまでの時間を減算する。即ち、図２に示した演算回路１６ｃが、トラック情報抜き取り回路１６ｂからトラック情報が供給された時点に、上記演算を行う。基準セクタからオーディオセクタまでの時間は図４において説明したｔであり、この時間ｔも、記録信号がテープトランスポート１１に到達するまでの時間も予めＲＯＭ１６ｄに記憶されているので、これらの情報を読み出して減算する。そしてステップＳ５に移行する。
【０１２０】
ステップＳ５では、タイマの計測時間と演算結果を比較する。そしてステップＳ６に移行する。
【０１２１】
ステップＳ６では、計測時間と演算結果が等しいか否かを判断する。即ち、図３に示したタイマ１６ｅは、計測している時間データと、演算回路１６ｃから供給される演算結果としてのデータが示す値が等しいか否かを判断し、等しいと判断した場合に、タイミング発生回路１６ｆに計測している時間データが示す値と演算回路１６ｃから供給される演算結果としてのデータが示す値が等しくなったことを示すデータを、タイミング発生回路１６ｆに供給する。そしてステップＳ７に移行する。
【０１２２】
ステップＳ７では、タイミング信号を発生する。つまり、図３に示したタイミング発生回路１６ｆが、図１に示したシステムコントローラ１７がメモリコントローラ１９に対して書き込み／読み出し制御信号を供給するためのタイミングを得るためのタイミング信号を発生する。タイミング発生回路１６ｆで発生されたタイミング信号は、システムコントローラ１７に供給される。以上の処理が済むと、このルーチンが終了する。
【０１２３】
Ｆ．図１に示したディジタルＶＴＲの記録時の動作説明（図６参照）
【０１２４】
図６は図１に示したディジタルＶＴＲの記録時の動作を説明するための説明図である。尚、以下の説明においては、説明の便宜上、図１に示した入力端子１及び入力端子５がアナログＶＴＲ（ハードディスクディスクドライブ等も可能である）等の映像信号出力端子及び音声信号出力端子に夫々接続されており、入力映像及び音声データにおける編集点を以下に説明する編集点指定方法によって指定し、その編集点以降の入力映像及び音声データを順次テープトランスポート１１にセットされているビデオ・テープ・カセットの磁気テープ上の編集点ＩＰから順次記録する場合について説明する。この場合、図１に示した出力端子２６にはテレビジョンモニタが、出力端子２８にはアンプを介してスピーカが接続されているものとする。
【０１２５】
編集点の指定方法は次の通りである。ユーザインターフェース２０を介してシステムコントローラ１７に上記テープトランスポート１１を再生させるよう指示を与え、この後、システムコントローラ１７の制御によってテープトランスポート１１を再生状態にし、入力される再生映像及び音声信号を一旦入出力回路８のメモリ８ｂに記憶した後に読み出して、出力端子２６及び２８を介してテレビジョンモニタ及びスピーカに夫々供給し、これらテレビジョンモニタ及びスピーカでモニタし、編集点にしたいところでユーザがユーザインターフェース２０の指定用のキーを押圧したときに、システムコントローラ１７に編集点を指定し、このときシステムコントローラ１７がその編集点に対応する映像及び音声データを入出力回路８のメモリ８ｄからアクセスするようにする。
【０１２６】
また、既に記録トラックが形成されている磁気テープ上に重ねて映像及び音声データを記録する場合、オーディオセクタＡＳ、ビデオセクタＶＳ、サブコードセクタＳＳには重ねて記録を行うが、図３に示した基準セクタＲＳには重ねて記録をしないで、元の基準セクタを用いるものとする。
【０１２７】
また、テープトランスポート１１にセットされているビデオ・テープ・カセットの磁気テープ上の編集点ＩＰは、例えばアナログＶＴＲを再生し、その再生映像及び音声をモニタし、編集点ＩＰとしたいところで上記ユーザインターフェース２０の操作パネルの所定のキーを押圧し、そのときのタイムコードを入出力端子１５を介してシステムコントローラ１７に供給することで指定しておけば良い。
【０１２８】
図において、Ｄｉｎは図１に示したメモリ８に入力されるエラー訂正コード付加回路７からの入力ディジタルデータを、Ｍｉｎはメモリ８上の記憶データを、Ｔａｐｅはテープトランスポートにセットされているビデオ・テープ・カセットの磁気テープを夫々示す。また、上記入力ディジタルデータＤｉｎに添えられている破線の矢印は時間の経過方向を、上記記憶データＭｉｎの右脇に添えられている実線の矢印は読み出し方向を、上記記憶データＭｉｎの内部の破線の矢印は書き込み方向を、上記Ｔａｐｅ上にＩＰとして示す矢印は、編集点（インポイント）を夫々示す。
【０１２９】
また、上記入力ディジタルデータＤｉｎ、記憶データＭｉｎ、磁気テープＴａｐｅの１つのブロックは１つのデータを示し、入力ディジタルデータＤｉｎ、記憶データＭｉｎ、磁気テープＴａｐｅに夫々添えられている数字は、夫々フレーム毎の入力順序を示し、例えば入力ディジタルデータＤｉｎにおいて、数字“１”が添えられているデータは、数字の添えられているデータの中で１番目に供給されるデータであることを示し、この１番目のデータはメモリ８に記憶される。このデータは記憶データＭｉｎにおいて数字“１”が添えられているデータである。そして、記憶データＭｉｎの内、この数字“１”が添えられているデータは、磁気テープＴａｐｅに記録される。このデータは磁気テープＴａｐｅにおいて数字“１”が添えられているデータである。
【０１３０】
また、入力ディジタルデータＤｉｎにおいてドットで示す領域は、記憶データＭｉｎにおいてドットで示す領域に対応し、磁気テープＴａｐｅにおいて斜線で示す部分は、記録する前に既に他のデータが記録されていることを示す。
【０１３１】
つまり、この例においては、外部から入力される映像及び音声信号をディジタル映像及び音声データに変換した後にメモリ８ｄに順次書き込み、メモリ８ｄに書き込んだ映像及び音声データを順次読み出し、メモリ８ｄから読み出した映像及び音声データをエラー訂正処理回路２２、圧縮復号化回路２３、フレームメモリ２４及びＤ−Ａコンバータ２５、２７で処理した後にテレビジョンモニタ及びアンプを介してスピーカに供給し、テレビジョンモニタに映出される映像をユーザに目視させ、スピーカから出力される音声をユーザに聴かせてモニタさせ、所望の映像及び音声のときにユーザインターフェース２０を介して記録開始点の指定をユーザが行った場合に、テープトランスポート１１の出力により編集点ＩＰであることをシステムコントローラ１７が認識したときに、入力映像及び音声データの編集点として指定した映像及び音声データをメモリ８ｄから読み出す際に、テープトランスポート１１から供給される再生データ中の上記基準セクタＲＳの基準セクタ情報を上記トラック情報検出回路１６が検出したときに、上述した演算処理等により得られたタイミングでシステムコントローラ１７がメモリコントローラ１９を制御することにより、テープトランスポート１１にセットされているビデオ・テープ・カセットの磁気テープ上の編集点ＩＰとして指定されている記録トラックの基準セクタＲＳを除く残りのセクタに重ねて記録する場合を説明するものである。
【０１３２】
ユーザが図１に示したユーザインターフェース２０を用いて操作を行い、アナログＶＴＲを再生状態にさせ、テープトランスポート１１を再生状態にさせると、エラー訂正コード付加回路７からのディジタルデータはメモリ８ｄに供給され、メモリコントローラ１９からの書き込み／読み出し制御信号によってメモリ８ｄに記憶されると共に、書き込まれたディジタルデータが読み出されてエラー訂正処理回路２２に供給される。図６に示すように、入力ディジタルデータＤｉｎは、メモリ８に順次書き込まれ、記憶データＭｉｎとして保持される。
【０１３３】
ディジタル映像データは、エラー訂正処理回路２２においてエラー訂正処理及びエラー修整処理が施された後に、圧縮復号化回路２３、フレームメモリ２４、Ｄ−Ａコンバータ２５及び出力端子２６を介してテレビジョンモニタに供給され、その管面上に画像として映出される。
【０１３４】
一方、エラー訂正処理回路２２から出力されるディジタル音声データは、Ｄ−Ａコンバータ２７及び出力端子２８及び図示しないアンプ等を介してスピーカに供給され、スピーカから音声として出力される。
【０１３５】
この状態でユーザがユーザインターフェース２０の編集点指定用のキーを押圧すると、システムコントローラ１７は、キーの押圧時のタイミングを示す制御信号をメモリコントローラ１９に供給する。メモリコントローラ１９は、そのときにテレビジョンモニタに映出されている映像並びにスピーカから出力されている音声に対応するメモリ８ｄ上のディジタル映像データ及びディジタル音声データのアドレスをメモリコントローラ１９の図示しない記憶部（レジスタやメモリ）にセットする。
【０１３６】
続いて、システムコントローラ１７は、エラー訂正処理回路２２から供給されるタイムコードにより編集点の手前の記録トラックを認識し、トラック情報検出回路１６から図５を用いて説明した処理により得たタイミング信号が供給された場合に、メモリコントローラ１９に記録のための読み出しを開始するよう指示を与える。
【０１３７】
メモリコントローラ１９は、システムコントローラ１７からの指示により、図示しない記憶部に記憶してあるアドレスデータを読み出し制御信号と共にメモリ８ｄに供給する。これによって、図６に示したメモリ８ｄで保持されている記憶データＭｉｎが、数字“１”が添えられているデータから順次読み出され、図１に示したチャンネルコーディング回路９及び記録増幅回路１０を介してテープトランスポート１１の磁気ヘッドに供給され、図６に示すように、テープトランスポート１１にセットされているビデオ・テープ・カセットの磁気テープＴａｐｅ上の編集点ＩＰの位置に対応する記録トラックのオーディオセクタＡＶから順次記録される。
【０１３８】
ここで重要なのは、テープトランスポート１１と入力側との間で電気的及びメカ的な制御による調相を行っていないことである。上述の説明から分かるように、テープトランスポート１１は編集点ＩＰまでは単に再生を行っているだけであり、編集点ＩＰのオーディオセクタＡＳに磁気ヘッドが突入する時点に丁度メモリ８ｄから読み出された記憶データＭｉｎが磁気ヘッドに供給されるのである。つまり、電気的な処理を行うだけで確実に編集点ＩＰから所望のデータを記録することができるのである。
【０１３９】
Ｇ．図１に示したディジタルＶＴＲの通常速度の再生時の動作説明（図７参照）
【０１４０】
図７は図１に示したディジタルＶＴＲの再生時の動作を説明するための説明図である。尚、以下の説明においては、説明の便宜上、図１に示した出力端子２６及び出力端子２８が図１に示したディジタルＶＴＲと同一の構成の記録用のディジタルＶＴＲ（ハードディスクディスクドライブ等も可能である）の映像信号入力端子及び音声信号入力端子に夫々接続されており、テープトランスポート１１にセットされているビデオ・テープ・カセットの磁気テープの所望のフレーム（所望のフレームの記録トラック）から再生し、その再生映像及び音声データを記録側ディジタルＶＴＲに供給し、記録側ディジタルＶＴＲにセットされているビデオ・テープ・カセットの磁気テープ上の編集点ＩＰから順次記録する場合について説明する。また、記録側ディジタルＶＴＲには入力映像及び音声信号をモニタするためのテレビジョンモニタ、アンプ及びスピーカが接続されているものとする。
【０１４１】
図において、図６と対応する部分には同一符号を付し、その詳細説明を省略する。尚、この図７において、Ｔａｐｅは図１に示したテープトランスポート１１にセットされているビデオ・テープ・カセットの磁気テープを示し、この磁気テープＴａｐｅに添えられている破線の矢印は時間経過方向を示し、Ｄｏｕｔは出力端子２５及び２７から夫々出力されるアナログ映像及び音声信号を示し、このアナログ映像及び音声信号Ｄｏｕｔに添えられている破線の矢印は時間経過方向を示し、ＯＰは現在出力を示す。
【０１４２】
この場合、先ず、ユーザがユーザインターフェース２０の操作パネルの所定のキーを操作することにより、上記編集点指定方法と同様の方法で再生側ディジタルＶＴＲの磁気テープ上のアクセス点（アクセスの対称はメモリ８ｄの記憶データＭｉｎとなる）を決定し、記録側ＶＴＲの磁気テープ上編集点ＩＰを決定する必要がある。アクセス点の決定は、上記編集点指定方法又は単にアクセス点としたいところでテープトランスポート１１を停止状態にする方法等によりおおまかなアクセス点を決定しておき、この後、システムコントローラ１７が自動的にテープトランスポート１１を制御し、上記アクセス点から数フレーム、或いは数百フレームの位置にし、この後、システムコントローラ１７がテープトランスポート１１を再生状態にする方法で行うものとする。
【０１４３】
ここで重要なことは、テープトランスポート１１にセットされているビデオ・テープ・カセットの磁気テープＴａｐｅに対する最初のアクセスはおおまかで良いということである。従って、例えばユーザがユーザインターフェース２０を操作してテープトランスポート１１を再生状態にし、その再生映像及び音声をモニタし、アクセス点としたいところでテープトランスポート１１を停止させれば良い。
【０１４４】
また、メモリ８ｄからのデータの読み出しのタイミングは、入力端子１８を介して記録側ディジタルＶＴＲから供給される同期信号（例えば垂直同期信号）を基準とし、システムコントローラ１７がメモリコントローラ１９に指示を与えることにより行うものとする。
【０１４５】
さて、システムコントローラ１７は、テープトランスポート１１に制御信号を供給することにより、テープトランスポート１１にセットされているビデオ・テープ・カセットの磁気テープの位置を、おおまかに決められたアクセスポイントから数フレーム、或いは数百フレーム分だけ巻き戻しによりその位置を戻し、この後テープトランスポート１１を再生状態にする。
【０１４６】
テープトランスポート１１が再生状態になると、図７に示すように、磁気テープＴａｐｅに記録されたデータが順次再生され、この再生データがチャンネルデコーディング回路１４を介してメモリ８ｄに順次記憶される。図７に示すように、磁気テープＴａｐｅから再生されたデータは、メモリ８ｄに記憶データＭｉｎとして順次書き込まれる。この書き込み時に基準とされる信号は記録側ディジタルＶＴＲから入力端子１８を介して供給される同期信号と、クロック発生回路２１からのクロック信号である。
【０１４７】
一方、システムコントローラ１７は、メモリ８ｄからの読み出しデータを記録側ディジタルＶＴＲから入力端子１８を介して供給される同期信号（再生垂直同期信号）に基いてメモリコントローラ１９を制御する。メモリコントローラ１９は、システムコントローラ１７のタイミング制御に基いてメモリ８ｄにアドレス信号及び読み出し制御信号を夫々供給し、メモリ８ｄに記憶したデータを読み出す。
【０１４８】
メモリ８ｄから読み出されたデータはエラー訂正処理回路２２においてエラー訂正処理が施される。エラー訂正後の映像データは圧縮復号化回路２３で復号化処理された後にフレームメモリ２４に記憶され、この後フレームメモリ２４から読み出された後にＤ−Ａコンバータ２５に供給されてアナログ映像信号に変換され、出力端子２６を介して図示しないアナログＶＴＲに供給され、エラー訂正後の音声データは、Ｄ−Ａコンバータ２７に供給されてアナログ音声信号に変換され、出力端子２８を介して図示しないアナログＶＴＲに供給される。
【０１４９】
アナログＶＴＲに供給されたアナログ映像信号は、テレビジョンモニタに供給され、その管面上に画像として表示され、アナログ音声信号は、アンプを介してスピーカに供給され、音声として出力される。
【０１５０】
ユーザが映像及び音声をモニタしながらユーザインターフェース２０を介してアクセス点を指定すると、図６において説明した場合と同様に、メモリコントローラ１９が対応するアドレスデータを記憶する。そして、記録側ディジタルＶＴＲにセットされているビデオ・テープ・カセットの磁気テープ上の記録トラックが編集点のトラックとなったときに、記録側ディジタルＶＴＲからその旨を示すタイミング信号が入出力端子１５を介してシステムコントローラ１７に供給される。
【０１５１】
システムコントローラ１７は、入出力端子１５を介して記録側ディジタルＶＴＲから供給されるタイミング信号に基いてメモリコントローラ１９を制御する。メモリコントローラ１９は、システムコントローラ１７からの制御信号により、アクセス点のアドレス信号及び読み出しアドレス信号を入出力回路８のメモリ８ｄに供給する。メモリ８ｄから読み出されたディジタルデータは上述と同様に、出力端子２６からアナログ映像信号、出力端子２８からアナログ音声信号として出力され、記録側ディジタルＶＴＲに供給される。
【０１５２】
このとき、記録側ディジタルＶＴＲは丁度記録状態に切り換えられている。従って、再生側ディジタルＶＴＲから出力されたアナログ映像及び音声信号は、この再生側ディジタルＶＴＲに接続されている記録側ディジタルＶＴＲに供給され、この記録側ディジタルＶＴＲにセットされているビデオ・テープ・カセットの磁気テープ上に傾斜トラックを形成するように記録される。
【０１５３】
図７においては、メモリ８ｄから記憶データＭｉｎが順次読み出され、これがアナログ映像及び音声信号Ｄｏｕｔとして出力されている状態を示し、この例では、アクセス点が数字“１”の添えられているデータの場合に、現在の出力点を示すポイントＯＰにおいて数字“８”が添えられているデータがメモリ８ｄから読み出され出力されていることを示している。
【０１５４】
上述の例においては、再生側ディジタルＶＴＲで再生した映像及び音声信号を記録側ディジタルＶＴＲに供給し、この記録側ディジタルＶＴＲにセットしたビデオ・テープ・カセットの磁気テープに記録する場合について説明したが、記録側がディジタルＶＴＲでなく、アナログＶＴＲであっても同じである。但し、アナログＶＴＲの場合においては、磁気テープの位置が、編集点ＩＰの記録トラックの１つ前の記録トラックの位置、或いは編集点ＩＰの位置となったことをＣＴＬ信号、或いはタイムコードにより検出した場合に、その旨を再生側ディジタルＶＴＲに報知する必要がある。
【０１５５】
さて、以上のようにメモリ８ｄに記憶されているデータを読み出すときに、他のＶＴＲからの垂直同期信号を基準として用いれば、テープトランスポート１１からの再生データを他のＶＴＲに供給し、他のＶＴＲにセットされているビデオ・テープ・カセットの磁気テープＴａｐｅに記録する場合に、他のＶＴＲの動作モードが、他のＶＴＲにセットされているビデオ・テープ・カセットの磁気テープＴａｐｅ上の編集点となるまでが再生モードで、編集点となったときに記録モードになるようにした場合は、図１に示したディジタルＶＴＲの出力と、他のＶＴＲの出力のタイミングを調相をかけなくとも一致させることができる。
【０１５６】
つまり、記録側のＶＴＲは単純に編集点ＩＰにおいて再生から記録状態にモードが移行するだけで良く。この記録側のＶＴＲの動作タイミングに図１に示したディジタルＶＴＲのメモリ８ｄの読み出しタイミングを合わせるだけであることから、従来行ってきた調相のように、例えばキャプスタンモータ等を制御するといったメカ部分の制御を行う方法とは異なり、全て電気的に行うことができるのである。
【０１５７】
Ｈ．図１に示したディジタルＶＴＲの１／５倍速の再生時の動作説明（図８参照）
【０１５８】
図８は図１に示したディジタルＶＴＲの１／５倍速再生時の動作を説明するための説明図である。この場合、図１に示した出力端子２６にはテレビジョンモニタが、出力端子２８にはアンプを介してスピーカが接続されているものとする。また、メモリ８ｄに対するメモリコントローラ１９の制御、テープトランスポート１１に対するシステムコントローラ１７の制御は、図２を参照して説明しているので、ここではその説明を省略する。
【０１５９】
図において、図６及び図７と対応する部分には同一符号を付し、その詳細説明を省略する。
【０１６０】
図において、アナログ映像及び音声信号Ｄｏｕｔに添えられている符号「１ｓｔ」は、そのフレームの映像信号を第１フィールドの映像信号により補間していることを示し、「２ｓｔ」とは、そのフレームの映像信号を第２フィールドの映像信号により補間していることを示し、「１／２」は補間することなしに、当該フレームの画像を出力することを意味する。このように補間するのは、フィールド毎に出力しないと出力画像にブレが生じるからである。
【０１６１】
つまり、この例においては、１／５倍速再生であるから、最終的に出力されるアナログ映像信号は、図中、磁気テープＴａｐｅに記録されているフレーム毎の映像データは、出力時においては、「１ｓｔ」、「１ｓｔ」、「１／２」、「２ｎｄ」、「２ｎｄ」のように５フレーム分となる。つまり、１／５倍速となる。
【０１６２】
動作としては次のようになる。即ち、ユーザがユーザインターフェース２０の操作キー群２０ｋを用いておおまかなアクセス点でテープトランスポート１１を停止させると、システムコントローラ１７は、テープトランスポート１１にセットされているビデオ・テープ・カセットの磁気テープの位置が、ユーザが指定したおおまかなアクセス点よりも数百フレーム前となるように巻き戻しを行った後に再生を行うようテープトランスポート１１を制御する。この後ユーザが、ユーザインターフェース２０のシャトルキー２０ｓを操作し、例えば１／５倍速再生をシステムコントローラ１７に指示すると、システムコントローラ１７はテープトランスポート１１に制御信号を供給し、テープトランスポート１１を再生状態にする。
【０１６３】
テープトランスポート１１において再生され、入出力回路８のメモリ８ｄに供給されたディジタルデータは、メモリコントローラ１９からの書き込み側アドレス信号及び書き込み制御信号によりメモリ８ｄに記憶データＭｉｎとして書き込まれる。このとき、システムコントローラ１７は、メモリ８ｄに常に保持されているデータ量が数百フレーム分となるように、数百フレーム分のデータを再生したら読み出しが終了するまでは再生一時停止状態にする等、テープトランスポート１１の読み出しを制御する。
【０１６４】
一方、メモリコントローラ１９は、システムコントローラ１７の制御により、メモリ８ｄからディジタルデータの読み出しを行う。このとき、読み出しの基準となるのは、テープトランスポート１１が再生状態、または再生一時停止状態の場合は、テープトランスポート１１からの再生データの内、再生同期信号（垂直同期信号等）ＳＹＮＣである。
【０１６５】
この例においては、１／５倍速であるから、同一のフレームデータをメモリ８ｄから単純に５回出力し、その出力をフレームメモリ２４に一旦保持した後に出力すれば良いが、このようにすると、出力端子２６から出力されるアナログ映像信号は、１／５倍速であるので、最初のフレームにおいてＯＤＤフィールド、ＥＶＥＮフィールド、次のフィールドにおいてＯＤＤフィールド、ＥＶＥＮフィールドのように出力され、ＯＤＤ、ＥＶＥＮの違いによって出力画像が画面上でブレているように見えてしまう。
【０１６６】
そこで、例えばフレームメモリ２４に映像及び音声データを書き込む際、或いは読み出す際に補間を行うようにする。補間の方法としては、周知の専用の補間回路を設けて補間する方法の他、メモリ８ｄに記憶されている記憶データＭｉｎの内、数字“１”が添えられているディジタルデータの内、ＯＤＤフィールドのディジタルデータを２回読み出し（１ｓｔ）、続いてＯＤＤフィールドのディジタルデータを２回読み出し（１ｓｔ）、続いてＯＤＤフィールドのディジタルデータとＥＶＥＮフィールドのディジタルデータを順次読み出し（１／２）、続いてＥＶＥＮフィールドのディジタルデータを２回読み出し（２ｎｄ）、続いてＥＶＥＮフィールドのディジタルデータを２回読み出す（２ｎｄ）ようにする。
【０１６７】
つまり、フレームメモリ２４に、最初のフレームの期間においては、ＯＤＤフィールドのデータが２回書き込まれ、次のフレームの期間においては、ＯＤＤフィールドのデータとＥＶＥＮフィールドのデータが書き込まれ、次のフレーム期間においてはＥＶＥＮフィールドのデータが２回書き込まれる。従って、出力端子２６から出力される映像信号は、図７に示すように、フレーム単位で見ると、「１ｓｔ」、「１ｓｔ」、「１／２」、「２ｎｄ」、「２ｎｄ」となる。
【０１６８】
以上の補間処理により、図１に示した出力端子２６から出力されるアナログ映像信号は、１つのフレームで「１ｓｔ」の画像、「１ｓｔ」の画像、「１／２」の画像、「２ｓｔ」の画像、「２ｎｄ」の画像の構成となり、最初の「１ｓｔ」の画像と次の「１ｓｔ」の画像との間では画像のブレはなく、最初の「２ｎｄ」の画像と次の「２ｎｄ」の画像との間では画像のブレはなく、「１ｓｔ」の画像と「２ｎｄ」の画像との間は、「１／２」の画像により、ブレを最小限に抑えた形式とすることができる。
【０１６９】
Ｉ．図１に示したディジタルＶＴＲの９倍速の再生時の動作説明（図９参照）
【０１７０】
図９は図１に示したディジタルＶＴＲの９倍速再生時の動作を説明するための説明図である。この場合、図１に示した出力端子２６にはテレビジョンモニタが、出力端子２８にはアンプを介してスピーカが接続されているものとする。
【０１７１】
図において、図６〜図８と対応する部分には同一符号を付し、その詳細説明を省略する。
【０１７２】
この例においては、ユーザが予め高速再生（１倍速以上の速度の再生、クイックモーション等ともいう）を行いたい期間を指定する必要がある。この指定の方法としては、上述したように、テープトランスポート１１によりビデオ・テープ・カセットの磁気テープに記録されている記録信号を再生し、その再生画像及び音声をモニタしながら、高速再生で使用する期間の始まりの位置と、終了の位置をユーザインターフェース２０の操作パネルの指定用のキーの押圧により予め指定する。これによって、その期間の先頭のトラックのタイムコードと、その期間の終了部分のトラックのタイムコードがシステムコントローラ１７のメモリ等に記憶される。
【０１７３】
ユーザによって高速再生すべき期間が指定されると、システムコントローラ１１は、テープトランスポート１１を制御し、このテープトランスポート１１にセットされているビデオ・テープ・カセットの磁気テープの位置を、上記先頭位置（或いはプリロール期間を考慮した位置）とし、この後、テープトランスポート１１を再生状態にし、メモリコントローラ１９を再生同期信号を基準にして制御する。
【０１７４】
テープトランスポート１１で再生されたディジタルデータは、メモリ８ｄに順次書き込まれる。このとき、システムコントローラ１７は、同期検出／データ抽出回路１３からの同期信号ＳＹＮＣを基準としてメモリコントローラ１９に制御信号を供給し、メモリコントローラ１９に対し、データの書き込みを４または５回に１回に書き込むよう制御する。
【０１７５】
また、システムコントローラ１７は、エラー訂正処理回路２２から供給されるタイムコードを監視し、上記期間の最後のトラックのタイムコードであることを認識したときに、メモリコントローラ１９に制御信号を供給し、メモリ８ｄに対するディジタルデータの書き込みを停止させる。これによって、メモリ８ｄには高速再生するための上記期間に対応するディジタルデータが、４または５フレームに１回の割合で書き込まれる。
【０１７６】
図９においては、数字“１”が添えられているディジタルデータから数字“３７”が添えられているディジタルデータまで、且つ、９回に１回の割合でディジタルデータがメモリ８ｄに記憶データＭｉｎとして書き込まれている様子を示している。メモリ８ｄには、“１”、“５”、“９”、“１４”、“１９”、“２３”、“２８”、“３２”、“３７”の数字（フレーム番号として考える）が添えられた記憶データＭｉｎが順次書き込まれる。
【０１７７】
メモリ８ｄからの読み出し時においては、メモリコントローラ１９は図１に示したクロック発生器１７ａからの基準クロック信号に基いて、メモリ８ｄにアドレス信号及び読み出し制御信号を供給する。これにより、メモリ８ｄに記憶されているディジタルデータが“１”、“５”、・・・・“２８”、・・・・“３７”の順に通常の読み出しの速度で読み出される。このとき、図９に示すように、メモリコントローラ１９は、数字“１”が添えられているディジタルデータについてはＯＤＤフィールド、数字“５”が添えられているディジタルデータについてはＥＶＥＮフィールド、数字“１０”が添えられているディジタルデータについてはＯＤＤフィールド、数字“１４”が添えられているディジタルデータについてはＥＶＥＮフィールド、・・・・のように各ディジタルデータの読み出しは、ＯＤＤ、ＥＶＥＮのように交互に読み出す。
【０１７８】
以上のようにして読み出されたディジタルデータは、エラー訂正処理回路２２においてエラー訂正処理が施される。エラー訂正処理回路２２においてエラー訂正処理が施された後、映像データは圧縮復号化回路２３、フレームメモリ２４、Ｄ−Ａコンバータ２５を経た後、アナログ映像信号として出力端子２６を介して出力される。一方、音声データはＤ−Ａコンバータ２７を経てアナログ音声信号として出力端子２８を介して出力される。出力処理の説明は次の項目Ｊで説明する。
【０１７９】
Ｊ．図１に示したディジタルＶＴＲの９倍速の再生時の出力動作の説明（図１１参照）
【０１８０】
図１１は図１に示したディジタルＶＴＲの９倍速の再生時の出力動作を説明するための説明図である。
【０１８１】
図においてＰＶは図１に示したテープトランスポート１１にセットされたビデオ・テープ・カセットの磁気テープから再生されたディジタルデータ、ＯＵＴ１は図８を参照して説明した補間処理を施して出力した場合の出力映像信号、ＯＵＴ２は上述したように各フレームからＯＤＤまたはＥＶＥＮフィールドのディジタルデータを交互にメモリ８ｄから読み出した場合の出力映像信号、１ｆはＯＤＤフィールド、２ｆはＥＶＥＮフィールドを示す。
【０１８２】
メモリ８ｄから一のフレームはＯＤＤフィールド、他のフレームはＥＶＥＮフィールドのように各フレームのディジタルデータからＯＤＤまたはＥＶＥＮフィールドのディジタルデータが交互に読み出される。読み出された各フレームのフィールドのディジタルデータは、エラー訂正処理回路２２に供給される。エラー訂正処理回路２２から出力されるディジタル映像データは、圧縮復号化回路２３において復号化処理が施された後に、順次フレームメモリ２４に書き込まれる。
【０１８３】
このときのフレームメモリ２４のデータの状態としては、ＯＵＴ１に示すように、最初は再生ディジタルデータＰＶの内の数字“１”の添えられたディジタルデータのＯＤＤフィールド及び数字“５”の添えられたディジタルデータのＥＶＥＮフィールドのデータが記憶された状態となる。これらのディジタルデータはフレームメモリ２４から読み出された後、Ｄ−Ａコンバータ２５において順次アナログ映像信号に変換され、出力端子２６を介して出力される。
【０１８４】
次に、再生ディジタルデータＰＶの内の数字“９”の添えられたディジタルデータのＯＤＤフィールド及び数字“１４”の添えられたディジタルデータのＥＶＥＮフィールドのデータが記憶された状態となる。これらのディジタルデータはフレームメモリ２４から読み出された後、Ｄ−Ａコンバータ２５において順次アナログ映像信号に変換され、出力端子２６を介して出力される。
【０１８５】
次に、再生ディジタルデータＰＶの内の数字“１９”の添えられたディジタルデータのＯＤＤフィールド及び数字“２３”の添えられたディジタルデータのＥＶＥＮフィールドのデータが記憶された状態となる。これらのディジタルデータはフレームメモリ２４から読み出された後、Ｄ−Ａコンバータ２５において順次アナログ映像信号に変換され、出力端子２６を介して出力される。そして、以下同様にして、フレームメモリ２４に一旦記憶した異なるフレームの異なるフィールドのディジタルデータが出力映像信号ＯＵＴ２として順次出力される。
【０１８６】
図１０に示す出力映像信号ＯＵＴ１、ＯＵＴ２を比較すると分かるように、出力映像信号ＯＵＴ１は、メモリ８ｄの記憶データＭｉｎの各ＯＤＤフィールドに基いて補間されたフレームである。従って、再生ディジタルデータＰＶが図において時系列的に表現されているものとすると、出力映像信号ＯＵＴ１の各フレームは、メモリ８ｄに記憶されているディジタルデータの内のＯＤＤフィールドで補間されて生成されたものであるから、この例では、情報としては、メモリ８ｄに記憶されている記憶データＭｉｎの内、数字“１”の添えられているフレームのデータ、数字“９”の添えられているフレームデータ、数字“１９”の添えられているデータ、数字“２８”の添えられているデータとなり、再生画像としては“１”、“９”、“１９”、“２８”のように情報の変わる度合いが大きくなり、滑らかな移り変わりではなくなる。
【０１８７】
一方、再生ディジタルデータＰＶが図において時系列的に表現されているものとすると、本例における出力映像信号ＯＵＴ２は、メモリ８ｄに記憶されている記憶データＭｉｎからフレーム毎にＯＤＤまたはＥＶＥＮフィールドを取りだしたものであるから、この例では、情報としては、メモリ８ｄに記憶されている記憶データＭｉｎの内、数字“１”の添えられているフレームのデータ、数字“５”の添えられているフレームデータ、数字“９”の添えられているデータ、数字“１４”の添えられているデータ、数字“１９”の添えられているデータ、数字“２３”の添えられているデータ、数字“２８”の添えられているデータとなり、再生画像としては“１”、“５”、“９”、“１４”、“１９”、“２３”、“２８”のように情報の変わる度合いが小さくなり、滑らかな移り変わりとなる。
【０１８８】
Ｋ．図１に示したディジタルＶＴＲを用いて編集した場合の編集点のアクセス方式の説明（図１１参照）
【０１８９】
図１１は図１に示したディジタルＶＴＲにおいてユーザインターフェース２０の操作パネルのジョグダイアルを使用する場合の動作を説明するための説明図である。この場合、図１に示した出力端子２６にはテレビジョンモニタが、出力端子２８にはアンプを介してスピーカが接続されているものとする。
【０１９０】
図において、図６〜図１０と対応する部分には同一符号を付し、その詳細説明を省略する。ジョグダイアル２０ｊは、ユーザがテープトランスポート１１にセットされているビデオ・テープ・カセットの磁気テープの編集点ＩＰを探す場合等をその目的として多く用いられる。
【０１９１】
ジョグダイアル２０ｊを使用するための条件としては、上述したように、ユーザが再生画像を見ながらユーザインターフェース２０の操作キー群２０ｋの所定のキーの操作により、アクセス点を大まかに決めることが必要である。このようにおおまかなアクセス点が決定されると、システムコントローラ１７は、テープトランスポート１１に制御信号を供給し、テープトランスポート１１を巻き戻し状態にし、例えば数百フレーム分巻き戻しを行った時点でテープトランスポート１１に制御信号を供給し、テープトランスポート１１を一旦停止させ、この後、テープトランスポート１１を再生状態にする。
【０１９２】
図１１に示すように、テープトランスポート１１にセットされているビデオ・テープ・カセットの磁気テープＴａｐｅからは順次記録データが再生される。再生されたデータはメモリコントローラ１９の制御により、上述と同様に一旦メモリ８ｄに書き込まれる。メモリ８ｄに例えば数百フレーム分のディジタルデータが記憶されると、ジョグダイアル２０ｊが使用可能となり、その旨をシステムコントローラ１７はユーザインターフェース２０の表示器２０ａを通じて視覚的に報知する。
【０１９３】
ジョグダイアル２０ｊは、回転させて操作するものであり、このときの回転速度に応じた速度で画像を映出させるものである。つまり、システムコントローラ１７は、ジョグダイアル２０ｊが操作されることによりユーザインターフェース２０から供給される回転速度データに基いてメモリ８ｄからの記憶データＭｉｎの読み出しを可変するようにメモリコントローラ１９を制御する。
【０１９４】
メモリコントローラ１９は、システムコントローラ１７からの制御信号（テープトランスポート１１を停止させている状態であるから、この場合は内部基準クロックに基いて生成された制御信号である）に基いて、メモリ８ｄの記憶データＭｉｎを選択的に読み出す。例えばジョグダイアルｊを通常の再生速度に対応する速度で回転させた場合、図１１に示すように、メモリ８ｄから記憶データＭｉｎが欠落することなく順次読み出されるが、ジョグダイアルｊを２倍速再生に対応する速度で回転させた場合、図１１に示す例では、数字“１”、“３”、“５”、“７”、“９”のように、１フレームおきにメモリ８ｄの記憶データＭｉｎが読み出されて出力される。
【０１９５】
以上説明したように、本例においては、マルチセグメント記録方式のディジタルＶＴＲにおいて、エラー訂正コード付加回路７及びチャンネルコーディング回路９間、並びにチャンネルデコーディング回路１４及びエラー訂正処理回路２２間にメモリ８ｄを設け、以下に示すようにモードに応じた処理を行うようにした。
【０１９６】
通常の記録時においては、入力される映像及び音声データをメモリ８ｄに一旦書き込んだ後に読み出し、読み出した映像及び音声データをテープトランスポート１１にセットされているビデオ・テープ・カセットの磁気テープ上に記録する。
【０１９７】
通常の再生時においては、テープトランスポート１１にセットされているビデオ・テープ・カセットの磁気テープから再生した映像及び音声データをメモリ８ｄに一旦書き込んだ後に読み出し、読み出した映像及び音声データを外部に出力する。
【０１９８】
いわゆるインサート記録等のように、テープトランスポート１１にセットされているビデオ・テープ・カセットの磁気テープ上の編集点ＩＰに入力映像及び音声データの内の編集点の入力映像及び音声データを記録するときにおいては、システムコントローラ１７の制御により、メモリコントローラ１９が入出力回路８を制御し、エラー訂正コード付加回路７の出力を一旦メモリ８ｄに書き込み、メモリ８ｄに書き込んだ記憶データＭｉｎをエラー訂正処理回路２２に供給するようにすると共に、この映像及び音声をユーザがモニタし、ユーザが操作キー群２０ｋの所定のキーを押圧して編集点を指定したときに、システムコントローラ１９の制御により、メモリコントローラ１９が入出力回路８を制御し、メモリ８ｄから読み出された記憶データＭｉｎがチャンネルコーディング回路９に供給されるようにする。
【０１９９】
例えば１／５倍速再生等のように、通常の再生速度を１倍速とした場合の１／Ｎ倍速の再生時においては、数百フレーム程度先行させて再生したデータをメモリ８ｄにデータを書き込み、この後、メモリ８ｄの記憶データＭｉｎを複数回読み出すと共に、その際、最初のフレームから中心のフレームまではＯＤＤフィールドのデータで補間したデータを出力し、中心のフレームはそのフレームの全データをそのまま出力し、これ以降のフレームはＥＶＥＮフィールドのデータで補間したデータを出力するようにする。
【０２００】
例えば９倍速再生等のように、通常の再生速度を１倍速とした場合のＮ倍速の再生時においては、数百フレーム程度先行させて再生したデータを間欠的にメモリ８ｄに書き込み、この後、メモリ８ｄの記憶データＭｉｎを読み出す際に、最初のフレームではＯＤＤフィールド、次のフレームではＥＶＥＮフィールドのように、ＯＤＤまたはＥＶＥＮフィールドをフレーム毎に交互に読み出すようにする。
【０２０１】
編集点の決定等のように、テープトランスポート１１にセットされている磁気テープ上の所望の位置を決定する場合、数百フレーム程度先行させて再生したデータをメモリ８ｄに書き込み、この後、ジョグダイアル２０ｊの操作情報（回転速度情報）に基いてメモリ８ｄの記憶データＭｉｎを選択的に（間隔を空けて読み出す場合にその間隔を変更する等）読み出すようにする。
【０２０２】
以上の処理を行えるようにしたことにより、従来、キャプスタンモータの制御やテープトランスポートのメカ部分の精度に頼っていたインサート記録、編集点の決定等において、磁気テープに直接アクセスし、磁気テープから再生したデータをそのまま使用するのではなく、磁気テープから再生したデータを一旦メモリ８ｄに取り込み、このメモリ８ｄに取り込んだデータに対してアクセスするようにしたので、メカ部分は単に動作させるだけで良く、また、１／Ｎ倍速再生、Ｎ倍速再生等の場合においては更にＤＴヘッドを用いなくとも良くなる。つまり、いわゆるシャトルキー２０ｓによる再生やジョグダイアル２０ｊによる再生、調相のための制御等のように、従来行っていたメカ部分の動作の制御を一切行わなくても済ませるようにすることができる。従って、ＤＴヘッドを用いなくても済むこと、メカ部分の各部品の精度、組立精度を上げることなく、最も正確なアクセスを行えることにより、コストを上昇させることなく画像や音声データの精度を高めることができる。また、ＶＴＲを２台以上使用して編集等を行う際に、調相を電気的に行うことができるので、ＶＴＲを１台使用する際においても、ＶＴＲを編集等の目的で２台以上使用する際においても、上述した絶大なる効果を得ることができる。
【０２０３】
［第２実施例］
上記第１実施例においては、メモリ８ｄをＦＩＦＯとしてテープトランスポート１１を連続的に動作させながら処理を行う場合について説明したが、例えばフレームメモリを複数設け、書き込みと読み出しがぶつからないようにしても良い。例えば一方のフレームメモリをＡ、他方のフレームメモリをＢとした場合、フレームメモリＡ、Ｂの順序で書き込みを行い、フレームメモリＡの書き込みが途中まで済んだ時点、或いは終了した時点からフレームメモリＡからの読み出しを開始し、フレームメモリＢへの書き込みが終了した時点でフレームメモリＡからの読み出しが終了するように書き込みと読み出しを制御するようにすれば良い。この構成の場合においては、書き込み及び読み出し制御がより簡単になるというメリットがある。
【０２０４】
［第３実施例］
上記第１実施例においては、メモリ８ｄをＦＩＦＯとしてテープトランスポート１１を連続的に動作させながら処理を行う場合について説明したが、例えば大容量のメモリを設け、使用すべき部分全体をメモリに書き込んだ後に、テープトランスポート１１は一旦停止させ、アクセス点が決定された後にメモリに記憶されているデータを読み出し、テープトランスポート１１にセットされているビデオ・テープ・カセットの磁気テープ上の位置がメモリに書き込まれている最後のデータとなったときにそのデータの次のデータに対応する記録トラックから再生が開始されるようにしても良い。つまり、メモリに記憶されている最後のデータがそのフレームの記録トラックの内の９番目の記録トラックに対応するデータであった場合、このメモリに記憶されている最後のデータが読み出された後に、テープトランスポート１１からそのフレームの１０番目の記録トラックに対応するデータが再生されるようにすれば良い。この場合においては、メモリ８ｄに対するデータの書き込み及び読み出し制御と共に、テープトランスポート１１の制御を行わなくても済むので、処理が簡単になるといったメリットがある。
【０２０５】
［第４実施例］
【０２０６】
上記第１実施例においては、例えば９倍速再生等高速再生時に、メモリ８ｄに全てのデータを書き込み、読み出し時には選択的に読み出すようにした場合について説明したが、メモリ８ｄにデータを書き込む際に選択的に書き込み、読み出し時にはそのまま読み出すようにしても良い。この場合においては、予め決めた速度の高速再生だけしか行わないのであれば、よけいなデータを書き込まなくても済み、メモリ８ｄの記憶容量を有効に使用することができるといったメリットがある。
【０２０７】
［第５実施例］
上記第１実施例においては、本発明をディジタルＶＴＲに適用した場合について説明したが、記録媒体から再生した再生データを一旦メモリに書き込み、このメモリに対してアクセスすることにより、記録媒体を直接アクセスする際に必要な処理、特にメカ部分を制御するような動作を行うことなしに高速、且つ、精度良く処理を行うことができるようにするといった思想は、例えば光磁気ディスク、ＣＤ−ＲＯＭ等の光ディスク、ハードディスクに適用することができる。適用する場合においては、図１に示したメモリと図１に示したシステムコントローラ１７、メモリコントローラ１９のタイミング的な制御をそのまま適用することができるので、ディスクの場合について説明せずとも十分であろう。
【０２０８】
【発明の効果】
上述せる本発明記録再生方法によれば、記録すべき入力映像及び音声信号を主記録媒体の編集点から記録する場合は、上記記録すべき入力映像及び音声信号に記録のための信号処理を施した後に一旦上記主記録媒体よりもアクセス速度の速い補助記録媒体に記録し、上記主記録媒体を再生し、この主記録媒体を再生して得られる上記主記録媒体上の位置情報に基いて、上記補助記録媒体から上記補助記録媒体上の編集点から上記記録すべき入力映像及び音声信号を読み出すタイミングを得、上記主記録媒体の位置が上記主記録媒体上における編集点となったときに、上記タイミングに基いて、上記補助記録媒体から上記記録すべき入力映像及び音声信号を読み出し、上記主記録媒体に記録することにより、主記録媒体上に記録されている位置情報から、上記主記録媒体上の編集点が検出された場合には、上記補助記録媒体から入力映像及び音声信号が読み出され、読み出された入力映像及び音声信号が主記録媒体に記録され、これによって、アクセス速度と補助記録媒体により記録再生精度を高めることができるという効果がある。
【０２０９】
また上述せる本発明記録再生方法によれば、第１の装置で再生して得られる映像及び音声信号を第２の装置の主記録媒体の編集点から記録する場合は、上記第１の装置で再生して得られる映像及び音声信号を第１の装置の上記主記録媒体よりもアクセス速度の速い補助記録媒体に一旦記録した後に記録した映像及び音声信号を読み出し、この読み出した映像及び音声信号をモニタ用の再生映像及び音声信号として出力し、上記モニタ用の再生映像及び音声信号を出力している間に、上記第２の装置の主記録媒体に記録すべき編集点の指定があった場合に、この指定された映像及び音声信号の上記補助記録媒体上のアドレスデータを保持し、上記第２の装置の主記録媒体を再生し、この主記録媒体を再生して得られる上記主記録媒体上の位置情報に基いて、上記第１の装置の補助記録媒体から上記補助記録媒体上の編集点から上記指定された映像及び音声信号を読み出すタイミングを得、上記第２の装置の主記録媒体の位置が上記主記録媒体上における編集点となったときに、上記タイミングに基いて、上記第１の装置において指定された映像及び音声信号以降の映像及び音声信号を上記第１の装置の補助記録媒体から読み出し、この読み出した映像及び音声信号に再生のための信号処理を施した後に上記第２の装置に対して記録用として出力し、上記第２の装置の主記録媒体に編集点から記録することにより、第１の装置で再生され、補助記録媒体に記録された映像及び音声信号を再生している間に編集点の指定があると、そのときの補助記録媒体のアドレスデータが保持され、第２の装置を再生モードにし、その再生信号から得られる位置情報が記録媒体上における編集点となったときに、上記補助記録媒体から映像及び音声信号が読み出され、読み出された映像及び音声信号が編集処理が施された後に第２の装置の記録媒体上に編集点から順次記録され、これによって、アクセス速度と補助記録媒体により記録再生精度を高めることができると共に編集に関連した処理作業の効率化、編集結果の精度の向上を図ることができるという効果がある。
【０２１０】
また上述せる本発明記録再生方法によれば、主記録媒体に記録されている映像及び音声信号を通常の再生速度のＮ倍の再生速度で再生する場合は、上記主記録媒体から通常の再生速度で再生して得られた映像及び音声信号を一旦上記主記録媒体よりもアクセス速度の速い補助記録媒体に記録し、上記補助記録媒体から映像及び音声信号を読み出す際に、少なくともＮフレーム分毎に映像及び音声信号を出力することにより、補助記録媒体からＮフレーム分毎に間欠的に読み出された映像及び音声信号は、異なる映像及び音声信号が出力されるので、視覚的及び聴覚的には高速再生と等価な表示状態を形成し、これによって、装置の小型化、軽量化、低コスト化を図りつつ、高速再生時においてもノイズのない映像を得ることができるという効果がある。
【０２１１】
また上述せる本発明記録再生装置によれば、主記録媒体からの再生時においては、主記録媒体よりもアクセス速度の速い補助記録媒体からの読み出し出力を見かけ上主記録媒体から再生されて直接出力されたものとすると共に、上記主記録媒体に対する映像及び音声信号の記録時においては、上記補助記録媒体からの読み出し出力を見かけ上入力される映像及び音声信号を直接上記主記録媒体に記録することにより、機器内においてのみ実際に補助記録媒体からの読み出し出力が用いられた処理が行われ、これによって、使用者に対して操作性と使用環境を今までと同様に提供でき、より作業効率を図ることができるという効果がある。
【０２１２】
また上述せる本発明記録再生装置によれば、記録すべき入力映像及び音声信号を上記主記録媒体の編集点から記録する場合は、上記記録すべき入力映像及び音声信号に記録処理手段により記録のための信号処理を施した後に制御手段の制御の元に補助記録媒体制御手段が記録処理手段により記録のための信号処理を施した上記映像及び音声信号を一旦上記主記録媒体よりもアクセス速度の速い補助記録媒体に記録し、上記主記録媒体の位置が上記主記録媒体上における編集点となったときに、上記タイミング発生手段からの上記タイミング信号に基いて、上記補助記録媒体から上記記録すべき入力映像及び音声信号を上記補助記録媒体制御手段が読み出し、上記主記録媒体に記録することにより、主記録媒体の位置が編集点となったときには、タイミング発生手段に基いて補助記録媒体制御手段により補助記録媒体から映像及び音声信号が読み出され、読み出された映像及び音声信号が主記録媒体上の編集点から順次記録され、これによって、装置の小型化、軽量化、低コスト化を図ることができると共に、主記録媒体の記録再生のための系の精度とアクセス速度を高め、編集効率を向上させることができるという効果がある。
【０２１３】
また上述せる本発明によれば、上記記録再生装置において、上記タイミング発生手段においては、位置情報抽出手段により、記録再生手段で再生された再生信号から位置情報を抽出し、時間計測手段により、上記位置情報抽出手段により上記位置情報が抽出された時点から時間を計測し、上記位置情報が記録されているセクタと、次の映像及び音声信号記録用のセクタとの間を再生するために費やされる再生時間情報と、上記補助記録媒体から映像及び音声信号が読み出されてから実際に上記主記録媒体に記録され始めるまでに費やされる信号伝達時間情報を保持手段に保持し、上記再生時間情報と上記信号伝達時間情報とに基いて上記制御手段が上記補助記録媒体制御手段に対する制御タイミング時間を演算手段で得、上記演算手段からの制御タイミング時間情報と、タイミング発生手段が上記時間計測手段からの計測時間情報とを比較し、これらが一致した場合に上記制御手段に対して補助記録媒体を制御するための基準となるタイミング信号を供給することにより、演算手段が得た制御タイミング時間情報と計測手段が得た補助記録媒体から映像及び音声信号が読み出されてから実際に主記録媒体に記録され始めるまでに費やされる計測時間情報との一致がタイミング発生手段によって検出されると、このタイミング発生手段からタイミング信号が出力され、このタイミング信号によって補助記録媒体が映像及び音声信号が読み出され、これによって、編集精度を向上させることができるという効果がある。
【０２１４】
また上述せる本発明によれば、第１の装置で再生して得られる映像及び音声信号を第１の装置の上記補助記録媒体制御手段により主記録媒体よりもアクセス速度の速い補助記録媒体に一旦記録した後に、記録した映像及び音声信号を読み出し、この読み出した映像及び音声信号をモニタ用の再生映像及び音声信号として上記再生処理手段を介して出力し、上記モニタ用の再生映像及び音声信号を出力している間に、上記第２の装置の主記録媒体に記録すべき編集点の指定があった場合に、この指定された映像及び音声信号の上記補助記録媒体上のアドレスデータを上記制御手段により保持し、上記第２の装置の主記録媒体を上記記録再生手段により再生し、この主記録媒体を再生して得られる上記主記録媒体上の位置情報に基いて、上記第１の装置の補助記録媒体上の編集点から上記指定された映像及び音声信号を読み出すタイミングを上記第１の装置のタイミング発生手段で得、上記第２の装置の主記録媒体の位置が上記主記録媒体上における編集点となったときに、上記第１の装置の制御手段が上記第１の装置のタイミング発生手段からのタイミング信号に基いて、上記第１の装置において指定された映像及び音声信号以降の映像及び音声信号を上記第１の装置の補助記録媒体から読み出し、この読み出した映像及び音声信号を第１の装置の再生処理手段により再生のための信号処理を施した後に上記第２の装置に対して記録用として出力し、上記第２の装置の主記録媒体に第２の装置の記録再生手段により、編集点から記録することにより、第１の装置で再生され、補助記録媒体に記録された映像及び音声信号を再生している間に編集点の指定があると、そのときの補助記録媒体のアドレスデータが保持され、第２の装置を再生モードにし、その再生信号から得られる位置情報が記録媒体上における編集点となったときに、上記補助記録媒体から映像及び音声信号が読み出され、読み出された映像及び音声信号が編集処理が施された後に第２の装置の記録媒体上に編集点から順次記録され、これによって、装置の小型化、軽量化、低コスト化を図ることができると共に、主記録媒体の記録再生のための系の精度とアクセス速度を高め、編集効率を向上させることができるという効果がある。
【０２１５】
また上述せる本発明によれば、上記記録再生装置において、上記主記録媒体に記録されている映像及び音声信号を通常の再生速度の１／Ｎ倍の再生速度で再生する場合は、上記主記録媒体から通常の再生速度で再生して得られた映像及び音声信号を上記補助記録媒体制御手段により、一旦補助記録媒体に記録し、上記補助記録媒体から映像及び音声信号を上記補助記録媒体制御手段により読み出す際に、少なくとも元のフレームの映像及び音声信号をＮ回出力することにより、補助記録媒体から１フレームにつきＮ回ずつ読み出された映像及び音声信号は、同じ映像及び音声信号がＮ回ずつ出力されるので、視覚的及び聴覚的には低速再生と等価な表示状態を形成し、これによって、装置の小型化、軽量化、低コスト化を図りつつ、１／Ｎ倍速再生時において、ノイズのない良好な映像を得ることができるという効果がある。
【０２１６】
また上述せる本発明によれば、上記各発明において、上記補助記録媒体から映像及び音声信号を読み出し、少なくとも元のフレームの映像信号をＮ回出力する場合に、前半のフレームは第１のフィールドの映像信号に基いて補間し、中心のフレームは元のフレームの映像信号を用い、後半のフレームは第２のフィールドの映像信号に基いて補間することにより、Ｎ回分のフレームの時間軸上の構成が、前半は第１フィールドの映像信号に基いて補間されたフレーム、次は元のフレームの映像信号、後半は第２フィールドの映像信号に基いて補間されたフレームといった変化のより少ない構成となり、視覚的には、変化の少ないいわゆる滑らかな表示状態を形成し、これによって、より精度の高い映像を得ることができるという効果がある。
【０２１７】
また上述せる本発明によれば、上記各発明において、上記補助記録媒体に上記主記録媒体から再生して得られた映像及び音声信号を記録し、上記補助記録媒体から映像及び音声信号を読み出し、１／Ｎ倍速再生を行う場合に、上記補助記録媒体制御手段は、単位期間のＭ倍の長さを有する期間に上記補助記録媒体に所定量のＭ個の映像及び音声信号を記録し、上記Ｍ個の映像及び音声信号の記録の後に上記補助記録媒体から上記期間に記録された上記Ｍ個の映像及び音声信号を上記単位期間のＭ×Ｎ倍の期間内で順次読み出すことにより、単位期間のＭ倍の長さを有する期間に補助記録媒体に記録された所定量のＭ個の映像及び音声信号が、Ｎ回ずつ単位期間のＭ×Ｎ倍の期間内において順次読み出され、補助記録媒体から１フレームにつきＮ回ずつ読み出された映像及び音声信号は、同じ映像及び音声信号がＮ回ずつ出力されるので、視覚的及び聴覚的には低速再生と等価な表示状態を形成し、これによって、装置の小型化、軽量化、低コスト化を図りつつ、１／Ｎ倍速再生時において、ノイズのない良好な映像を得ることができるという効果がある。
【０２１８】
また上述せる本発明によれば、上記各発明において、上記補助記録媒体に上記主記録媒体から再生して得られた映像及び音声信号を記録し、上記補助記録媒体から映像及び音声信号を読み出し、１／Ｎ倍速再生を行うため、単位期間のＭ倍の長さを有する期間に上記補助記録媒体に所定量のＭ個の映像及び音声信号を記録し、上記Ｍ個の映像及び音声信号の記録の後に上記Ｍ個の映像及び音声信号を上記単位期間のＭ×Ｎ倍の期間内で順次読み出し、少なくとも上記記録再生手段により所定量のＭ個の映像及び音声信号の再生が終了した時点において、上記制御手段の制御により、上記記録再生手段が主記録媒体の再生を、再生停止、または再生一時停止状態とし、次に映像及び音声信号を書き込むときには、上記制御手段の制御により、上記主記録媒体を上記記録再生手段で再生して実際に映像及び音声信号が得られるまでの時間分だけ手前の時点に上記記録再生手段が上記主記録媒体を再生することにより、単位期間のＭ倍の長さを有する期間に補助記録媒体に記録された所定量のＭ個の映像及び音声信号が、Ｎ回ずつ単位期間のＭ×Ｎ倍の期間内において順次読み出され、補助記録媒体から１フレームにつきＮ回ずつ読み出された映像及び音声信号は、同じ映像及び音声信号がＮ回ずつ出力されるので、視覚的及び聴覚的には低速再生と等価な表示状態を形成すると共に、次の処理の準備が行われ、これによって、装置の小型化、軽量化、低コスト化を図りつつ、１／Ｎ倍速再生においてノイズのない良好な映像を得ることができると共に、作業の効率化を図ることができるという効果がある。
【０２１９】
また上述せる本発明によれば、上記各発明において、上記主記録媒体に記録されている映像及び音声信号を通常の再生速度のＮ倍の再生速度で再生する場合は、上記主記録媒体から通常の再生速度で再生して得られた映像及び音声信号を上記補助記録媒体制御手段により一旦補助記録媒体に記録し、上記補助記録媒体から映像及び音声信号を読み出す際に、少なくともＮフレーム分毎に映像及び音声信号を出力することにより、補助記録媒体からＮフレーム分毎に間欠的に読み出された映像及び音声信号は、異なる映像及び音声信号が出力されるので、視覚的及び聴覚的には高速再生と等価な表示状態を形成し、これによって、装置の小型化、軽量化、低コスト化を図りつつ、高速再生時においてもノイズのない良好な映像を得ることができるという効果がある。
【０２２０】
また上述せる本発明によれば、上記各発明において、上記補助記録媒体から映像及び音声信号を読み出す際に、少なくともＮフレーム内の映像及び音声信号をフィールド単位で均等に２フレーム分以上Ｎフレーム分毎に出力することにより、補助記録媒体からＮフレーム分毎に均等に２フレーム分以上フィールド単位で読み出された映像及び音声信号は、異なるフレームの映像及び音声信号が出力されるので、視覚的及び聴覚的には高速再生と等価、かつ、滑らかな表示状態を形成し、これによって、装置の小型化、軽量化、低コスト化を図りつつ、精度の高い良好な映像を得ることができるという効果がある。
【図面の簡単な説明】
【図１】本発明記録再生方法及びその装置の一実施例を示すディジタルＶＴＲの構成例を示す構成図である。
【図２】図１に示したディジタルＶＴＲの入出力回路８の内部構成例を示す構成図である。
【図３】図１に示したディジタルＶＴＲのトラック情報検出回路１６の内部構成例を示す構成図である。
【図４】本発明記録再生方法及びその装置の一実施例の説明に供するテープフォーマットの一例を示す説明図である。
【図５】図３に示したトラック情報検出回路１６の動作を中心とした動作を説明するためのフローチャートである。
【図６】本発明記録再生方法及びその装置の一実施例の説明に供する入力映像及び音声信号を磁気テープ上の編集点ＩＰから記録する場合の動作を説明するための説明図である。
【図７】本発明記録再生方法及びその装置の一実施例の説明に供する通常の再生時の動作を説明するための説明図である。
【図８】本発明記録再生方法及びその装置の一実施例の説明に供する１／５倍速再生時の動作を説明するための説明図である。
【図９】本発明記録再生方法及びその装置の一実施例の説明に供する９倍速再生時の動作を説明するための説明図である。
【図１０】図９を参照して説明した９倍速再生時の映像及び音声データの出力時の動作を説明するための説明図である。
【図１１】本発明記録再生方法及びその装置の一実施例の説明に供する磁気テープ上の編集点を決定する場合の動作を説明するための説明図である。
【図１２】従来の編集システムの一例を示す構成図である。
【符号の説明】
２、６  Ａ−Ｄコンバータ
３、２４  フレームメモリ
４  圧縮符号化回路
７  エラー訂正コード付加回路
８  入出力回路
８ｄ  メモリ
８ｃ、８ｆ  スイッチ
９  チャンネルコーディング回路
１１  テープトランスポート
１３  同期検出／データ抽出回路
１４  チャンネルデコーディング回路
１６  トラック情報検出回路
１６ｂ  トラック情報抜き取り回路
１６ｃ  演算回路
１６ｄ  ＲＯＭ
１６ｅ  タイマ
１６ｆ  タイミング発生回路
１７  システムコントローラ
１９  メモリコントローラ
２０  ユーザーインターフェース
２１  クロック発生回路
２２  エラー訂正回路
２３  圧縮符号化回路
【図１】
0003687122.tif 000002
【図２】
0003687122.tif 000003
【図３】
0003687122.tif 000004
【図４】
0003687122.tif 000005
【図５】
0003687122.tif 000006
【図６】
0003687122.tif 000007
【図７】
0003687122.tif 000008
【図８】
0003687122.tif 000009
【図９】
0003687122.tif 000010
【図１０】
0003687122.tif 000011
【図１１】
0003687122.tif 000012
【図１２】
0003687122.tif 000013